(57)【要約】  がん検査装置（１）は、生体細胞のがん関連遺伝子産物を選択的に有彩色に染色する染色剤（４５）を、生体細胞群に塗布する塗布部（４０）と、染色剤（４５）が塗布された生体細胞群を撮像する撮像部（１０）と、撮像で得られた画像の生体細胞群のがん関連遺伝子発現パターン染色状態に基づき、生体細胞群のがん化の悪性度レベルを判定する判定部（５２）とを備える。
2017200066.tif 000002
【特許請求の範囲】
【請求項１】
生体細胞のがん関連遺伝子産物を選択的に有彩色に染色する染色剤を、生体細胞群に塗布する塗布部と、
前記染色剤が塗布された前記生体細胞群を撮像する撮像部と、
前記撮像で得られた画像の前記生体細胞群の染色状態に基づき、前記生体細胞群のがん化の悪性度レベルを判定する判定部と
を備える、がん検査装置。
【請求項２】
前記塗布部は、前記生体細胞の増殖を促進するシグナルを伝達するras系のがん関連遺伝子産物を染色する前記染色剤を塗布する
請求項１に記載のがん検査装置。
【請求項３】
前記塗布部は、フロキシン、エリスロシン、メルブロミン、ファストグリーンＦＣＦまたはメクロサイクリンスルフォサルチル酸塩を含む前記染色剤を塗布する
請求項２に記載のがん検査装置。
【請求項４】
前記塗布部は、前記生体細胞の増殖を促進するシグナルを伝達するSTAT3系のがん関連遺伝子産物を染色する前記染色剤を塗布する
請求項１〜３のいずれか１項に記載のがん検査装置。
【請求項５】
前記塗布部は、クルクミン類を含む前記染色剤を塗布する
請求項４に記載のがん検査装置。
【請求項６】
前記塗布部は、前記生体細胞群にクルクミン類を含む前記染色剤を塗布した後、前記生体細胞群にフロキシン、エリスロシン、メルブロミン、ファストグリーンＦＣＦまたはメクロサイクリンスルフォサルチル酸塩を含む前記染色剤を塗布する
請求項１〜５のいずれか１項に記載のがん検査装置。
【請求項７】
前記塗布部は、前記生体細胞群に、前記生体細胞の増殖を促進するシグナルを伝達するSTAT3系のがん関連遺伝子産物を染色する前記染色剤を塗布した後、前記生体細胞の増殖を促進するシグナルを伝達するras系のがん関連遺伝子産物を染色する前記染色剤を塗布する
請求項１〜５のいずれか１項に記載のがん検査装置。
【請求項８】
前記判定部は、前記生体細胞群の染色領域の面積に基づき前記判定を行う
請求項１〜７のいずれか１項に記載のがん検査装置。
【請求項９】
前記判定部は、前記生体細胞群の染色領域の染色された細胞数に基づき前記判定を行う
請求項１〜８のいずれか１項に記載のがん検査装置。
【請求項１０】
前記判定部は、前記生体細胞群の染色領域を含む一定面積内の染色された細胞群の数と平均直径に基づき前記判定を行う
請求項１〜９のいずれか１項に記載のがん検査装置。
【請求項１１】
前記撮像部は、前記染色剤が塗布された前記生体細胞群に多光子レーザ、または共焦点レーザを照射することで、前記生体細胞群を撮像する
請求項１〜１０のいずれか１項に記載のがん検査装置。
【請求項１２】
前記撮像部は、前記染色剤によって染色された、０．１ｍｍ以上０．４ｍｍ以下の直径を有する前記がん関連遺伝子発現パターンを撮像する
請求項１〜１１のいずれか１項に記載のがん検査装置。
【請求項１３】
前記塗布部は、複数の異なる前記染色剤を前記生体細胞群に塗布することで、複数の前記がん関連遺伝子発現パターンを互いに異なる色に染色し、
前記撮像部は、異なる色に染色された複数の前記がん関連遺伝子発現パターンに、それぞれの前記染色剤に応じた複数の励起光を照射することで、複数の前記がん関連遺伝子発現パターンを撮像する
請求項１〜１２のいずれか１項に記載のがん検査装置。
【請求項１４】
前記染色剤の種類は少なくとも２種類であり、
複数の前記がん関連遺伝子発現パターンに照射される前記励起光は、前記染色剤の種類に対応して選択されている
請求項１３に記載のがん検査装置。
【請求項１５】
前記撮像部は、焦点位置制御部を有し、前記焦点位置制御部を制御することにより、前記染色剤によって染色された生体の内部の表面から１０μｍ以上１０００μｍ以下の深さに存在する前記がん関連遺伝子発現パターンを撮像する
請求項１〜１４のいずれか１項に記載のがん検査装置。
【請求項１６】
前記染色剤によって染色された生体内部の同一の撮像位置において、表面から前記焦点位置制御部を制御して、一定間隔で焦点を変更して異なる深さの焦点位置における撮像を行い、前記撮像された複数の画像を焦点位置情報順に重ね合わせることで、画像を立体的画像とし、前記立体画像における、染色剤の浸透度に基づき前記判定を行う
請求項１５に記載のがん検査装置。
【請求項１７】
生体細胞のがん関連遺伝子産物を選択的に有彩色に染色する染色剤を、生体細胞群に塗布する塗布工程と、
前記染色剤が塗布された前記生体細胞群を撮像する撮像工程と、
前記撮像で得られた画像の前記生体細胞群の染色状態により、前記生体細胞群のがん化の悪性度レベルを判定する判定工程と
を含む、がん検査方法。
【請求項１８】
前記判定工程において、前記生体細胞群の染色領域の面積に基づき前記判定を行う
請求項１７に記載のがん検査方法。
【請求項１９】
前記判定工程において、前記生体細胞群の染色領域の染色された細胞数に基づき前記判定を行う
請求項１７または１８に記載のがん検査方法。
【請求項２０】
前記判定工程において、前記生体細胞群の染色領域を含む一定面積内の染色された細胞群の数と平均直径に基づき前記判定を行う
請求項１７〜１９のいずれか１項に記載のがん検査方法。
【請求項２１】
がん検査用の染色剤であって、
生体細胞の増殖を促進するシグナルを伝達するras系のがん関連遺伝子産物を染色するフロキシン、エリスロシン、メルブロミン、ファストグリーンＦＣＦまたはメクロサイクリンスルフォサルチル酸塩、もしくは、前記生体細胞の増殖を促進するシグナルを伝達するSTAT3系のがん関連遺伝子産物を染色するクルクミン類を含み、
染色開始後１０分以内は、前記生体細胞の細胞質には浸透するが、細胞の核には浸透しない濃度を有する、がん検査用の染色剤。
【発明の詳細な説明】
【技術分野】
【０００１】
本発明は、生体細胞のがんを検査するがん検査装置、がん検査方法、および、がん検査用の染色剤に関する。
【背景技術】
【０００２】
近年、生体内部（例えば消化管）の病変を確認する方法として、生体内部の細胞群の形態を撮像して、がん細胞などの病変の有無を確認する方法が知られている。【０００３】
その一例として、特許文献１には、クルクミンやスルフレチンなどの特定の可食性色素を用いた生体染色によって、生体内部にある所定の細胞群を染色した後、染色した細胞群に多光子レーザを当てると、がん細胞が正常細胞より濃く染まることでがん細胞の検出が容易になり、さらに生体内部の個々の細胞形態を蛍光撮像する方法が記載されている。この方法によれば、生体染色された細胞群が多光子レーザを当てられることで蛍光を発生するので、生体内部の個々の細胞形態および核の形態の鮮明な画像を得ることができる。これにより、がん細胞などの病変の有無を的確に確認し、病理診断することができる。
【先行技術文献】
【特許文献】
【０００４】
【特許文献１】国際公開第２０１４／１５７７０３号
【発明の概要】
【発明が解決しようとする課題】
【０００５】
特許文献１に記載されている方法を用いることで、生体細胞のがん化の有無を的確に確認することができるが、世の中の要望として、生体細胞のがん化をできるだけ早く把握することが求められている。【０００６】
本発明は、上述した課題を解決するものであり、生体細胞のがん化を早い段階で把握することができる、がん検査装置等を提供することを目的とする。
【課題を解決するための手段】
【０００７】
上記目的を達成するために、本発明の一態様に係るがん検査装置は、（１）生体細胞のがん関連遺伝子産物を選択的に有彩色に染色する染色剤を生体細胞群に塗布する塗布部と、（２）前記染色剤が塗布された前記生体細胞群を撮像する撮像部と、（３）前記撮像で得られた画像の前記生体細胞群の染色状態に基づき前記生体細胞群のがん化の悪性度レベルを発現パターンによって判定する判定部とを備える。なお、撮像に用いるレーザは、多光子レーザ顕微鏡用の多光子レーザであっても、共焦点レーザ顕微鏡用の連続波（ＣＷ）レーザであっても良いものとする。また、ここで言う悪性度レベルとは、がん細胞が本来もつ転移・浸潤能力においてそれらの高いものは悪性度が高いと判断し、また、治療面において放射線療法や化学療法に対して抵抗性のあるがんは悪性度が高いと定義する。【０００８】
本態様によれば、生体細胞群のがん関連遺伝子産物の染色状態に基づき、がん化の悪性度レベルを判定するので、生体細胞群のがん化を早い段階で把握することができる。また、がん化の悪性度レベルを把握できるので、がん患者の予後を知ることができる。【０００９】
例えば、前記塗布部は、前記生体細胞の増殖を促進するシグナルを伝達するras系のがん関連遺伝子産物を染色する前記染色剤を塗布してもよい。【００１０】
本態様のように、ras系のがん関連遺伝子産物を染色する染色剤を用いることで、生体細胞の増殖化傾向を知ることができ、生体細胞群におけるがん細胞の発生を早い段階で把握することができる。【００１１】
例えば、前記塗布部は、フロキシン、エリスロシン、メルブロミン、ファストグリーンＦＣＦまたはメクロサイクリンスルフォサルチル酸塩を含む前記染色剤を塗布してもよい。【００１２】
本態様に示す染色剤を用いることで、ras系のがん関連遺伝子産物を染色することができ、生体細胞群におけるがんの発現を早い段階で把握することができる。【００１３】
例えば、前記塗布部は、前記生体細胞の増殖を促進するシグナルを伝達するSTAT3系のがん関連遺伝子産物を染色する前記染色剤を塗布してもよい。【００１４】
本態様のように、STAT3系のがん関連遺伝子産物を染色する染色剤を用いることで、生体細胞の増殖化傾向を知ることができ、生体細胞群におけるがん細胞の発生を早い段階で把握することができる。【００１５】
例えば、前記塗布部は、クルクミン類を含む前記染色剤を塗布してもよい。【００１６】
本態様における染色剤を用いることで、STAT3系のがん関連遺伝子産物を染色することができ、生体細胞群におけるがん細胞の発生を早い段階で把握することができる。【００１７】
例えば、前記塗布部は、前記生体細胞群にクルクミン類を含む前記染色剤を塗布した後、前記生体細胞群にフロキシン、エリスロシン、メルブロミン、ファストグリーンＦＣＦまたはメクロサイクリンスルフォサルチル酸塩を含む前記染色剤を塗布してもよい。【００１８】
本態様のように、クルクミン類を含む染色剤を、フロキシン、エリスロシン、メルブロミン、ファストグリーンＦＣＦまたはメクロサイクリンスルフォサルチル酸塩を含む染色剤よりも先に塗布することで、各細胞の輪郭や核の形態が明確化され、鮮明な画像を得ることができる。【００１９】
例えば、前記塗布部は、前記生体細胞群に、前記生体細胞の増殖を促進するシグナルを伝達するSTAT3系のがん関連遺伝子産物を染色する前記染色剤を塗布した後、前記生体細胞の増殖を促進するシグナルを伝達するras系のがん関連遺伝子産物を染色する前記染色剤を塗布してもよい。【００２０】
本態様のように、STAT3系のがん関連遺伝子産物を染色する染色剤を、ras系のがん関連遺伝子産物を染色する染色剤よりも先に塗布することで、STAT3系のがん関連遺伝子産物が明確化され、鮮明な画像を得ることができる。【００２１】
例えば、前記判定部は、前記生体細胞群の染色領域の面積に基づき前記判定を行ってもよい。【００２２】
本態様によれば、がん関連遺伝子発現の亢進状態を染色領域の面積により知ることができるので、がん化の悪性度レベルを的確に把握することができる。【００２３】
例えば、前記判定部は、前記生体細胞群の染色領域の細胞数に基づき前記判定を行ってもよい。【００２４】
本態様によれば、がん関連遺伝子発現の亢進状態を染色領域の細胞数により知ることができるので、がん化の悪性度レベルを的確に把握することができる。【００２５】
例えば、前記判定部は、前記生体細胞群の染色領域を含む一定面積内の染色された細胞群の数と平均直径に基づき前記判定を行ってもよい。【００２６】
本態様によれば、がん関連遺伝子発現の亢進状態を一定面積内の染色された細胞群の数と平均直径に基づいて知ることができるので、がん化の悪性度レベルを的確に把握することができる。【００２７】
例えば、前記撮像部は、前記染色剤が塗布された前記生体細胞群に多光子レーザ、または共焦点レーザを照射することで、前記生体細胞群を撮像してもよい。【００２８】
本態様のように多光子レーザを照射することで、粘膜表面から１０μｍ以上１０００μｍ以下の深さにおける生体の内部のがん化の悪性度レベルを容易に把握することができる。また、共焦点レーザを照射することで、粘膜表面から１０μｍ以上７０μｍ以下の深さにおける生体の内部のがん化の悪性度レベルを容易に把握することができる。これにより、がん細胞集団が粘膜表面に現れる前の超早期段階において、がん患者の予後を知ることができる。【００２９】
例えば、前記撮像部は、前記染色剤によって染色された、０．１ｍｍ以上０．４ｍｍ以下の直径を有する細胞集団の前記がん関連遺伝子発現パターンを撮像してもよい。【００３０】
本態様によれば、前がん状態における生体細胞のがん化の悪性度レベルを把握できるので、がん細胞集団が大きく顕在化される前の早期にがん患者の予後を知ることができる。【００３１】
例えば、前記塗布部は、複数の異なる前記染色剤を前記生体細胞群に塗布することで、複数の前記がん関連遺伝子産物を互いに異なる色に染色し、前記撮像部は、異なる色に染色された複数の前記がん関連遺伝子発現パターンに、それぞれの前記染色剤に応じた複数の励起光を照射することで、複数の前記がん関連遺伝子発現パターンを撮像してもよい。【００３２】
本態様のように、染色された複数のがん関連遺伝子発現パターンに、それぞれの染色剤に応じた複数の励起光を照射することで、複数のがん関連遺伝子発現パターンを精度よく検出することができる。【００３３】
例えば、前記染色剤の種類は少なくとも２種類であり、複数の前記がん関連遺伝子発現パターンに照射される前記励起光は、前記染色剤の種類に対応して選択されていてもよい。【００３４】
本態様のように、少なくとも２種類の染色剤を用い、これらの染色剤に対応する励起光を照射することで、少なくとも２つのがん関連遺伝子発現パターンを検出することができる。このように多くのがん関連遺伝子発現パターンを検出することで、がん化の悪性度レベルを多岐の視点で把握することができる。【００３５】
例えば、前記撮像部は、焦点位置制御部を有し、前記焦点位置制御部を制御することにより、前記染色剤によって染色された生体の内部の表面から１０μｍ以上１０００μｍ以下の深さに存在する前記がん関連遺伝子発現パターンを撮像してもよい。【００３６】
本態様によれば、粘膜表面から１０μｍ以上１０００μｍ以下の深さにおける生体の内部のがん化の悪性度レベルを把握することができ、がん細胞集団が粘膜表面に現れる前の早期に、がん患者の予後を知ることができる。【００３７】
例えば、前記染色剤によって染色された生体内部の同一の撮像位置において、表面から前記焦点位置制御部を制御して、一定間隔で焦点を変更して異なる深さの焦点位置における撮像を行い、前記撮像された複数の画像を焦点位置情報順に重ね合わせることで、画像を立体的画像とし、前記立体画像における、染色剤の浸透度に基づき前記判定を行ってもよい。【００３８】
本態様によれば、立体画像における染色剤の浸透度に基づいて生体の内部のがん化の悪性度レベルを把握することができ、がん細胞集団が粘膜表面に現れる前の超早期段階において、がん患者の予後を知ることができる。【００３９】
また、本発明の一態様に係るがん検査方法は、生体細胞のがん関連遺伝子産物を選択的に有彩色に染色する染色剤を、生体細胞群に塗布する塗布工程と、前記染色剤が塗布された前記生体細胞群を撮像する撮像工程と、前記撮像で得られた画像の前記生体細胞群の染色状態により、前記生体細胞群のがん化の悪性度レベルを判定する判定工程とを含む。【００４０】
本態様によれば、生体細胞群のがん関連遺伝子発現パターンの染色状態に基づき、がん化の悪性度レベルを判定するので、生体細胞群のがん化を早い段階で把握することができる。また、がん化の悪性度レベルを把握できるので、がん患者の予後を知ることができる。【００４１】
また、本発明の一態様に係るがん検査用の染色剤は、生体細胞の増殖を促進するシグナルを伝達するras系のがん関連遺伝子産物を染色するフロキシン、エリスロシン、メルブロミン、ファストグリーンＦＣＦまたはメクロサイクリンスルフォサルチル酸塩、もしくは、前記生体細胞の増殖を促進するシグナルを伝達するSTAT3系のがん関連遺伝子産物を染色するクルクミン類を含み、染色開始後１０分以内は、前記生体細胞の細胞質には浸透するが、細胞の核には浸透しない濃度を有する。【００４２】
本態様に係るがん検査用の染色剤は、染色開始後から１０分以内であれば細胞質に浸透しても細胞内の核に浸透しないため、細胞質に囲まれている核を鮮明に視覚化することができ、がん化の分析をより明瞭にすることができる。
【発明の効果】
【００４３】
本発明によれば、生体細胞のがん化を直径１ｍｍ程度の非常に早い段階、超早期がんの段階で把握することができる。【００４４】
また、本発明の主要構成によれば、がん関連遺伝子の発現パターンを解析することができ、がん腫瘤が患者に及ぼす危険度（生命予後）を判定することができる。【００４５】
なお、上記までの観察対象は、すべて生体の消化管内壁粘膜の上皮細胞、腺細胞、結合組織、毛細血管であったが、材料として、手術で摘出された直後２０分以内の新鮮組織を用いても、生体組織と同等の細胞形態画像を撮像できる。
【図面の簡単な説明】
【００４６】
【図１Ａ】図１Ａは、生体細胞のがん関連遺伝子産物が正常な働きをしている状態を示す模式図である。
【図１Ｂ】図１Ｂは、生体細胞のがん関連遺伝子産物が異常な働きをしている状態を示す模式図である。なお、図１Ｂ中における十字星の印は、がん関連遺伝子産物に生じたがん性の変異を示す。
【図１Ｃ】図１Ｃは、消化管内壁面における生体細胞群の段階的がん化過程を示した模式図である。
【図１Ｄ】図１Ｄは、人のがん細胞の増殖曲線の一例を示す図である。
【図２Ａ】図２Ａは、試料１に関する生体細胞のがん関連遺伝子発現パターンの画像であり、（ａ）はクルクミンで染色されたSTAT3のがん関連遺伝子発現パターンの画像、（ｂ）はフロキシンで染色されたras系のがん関連遺伝子発現パターンの画像、（ｃ）は（ａ）と（ｂ）との重ね合わせ画像である。
【図２Ｂ】図２Ｂは、試料２に関する生体細胞のがん関連遺伝子発現パターンを図２Ａと同様に示した画像である。
【図２Ｃ】図２Ｃは、試料３に関する生体細胞のがん関連遺伝子発現パターンを図２Ａと同様に示した画像である。
【図３】図３は、試料４に関する正常な生体細胞群の画像である。
【図４Ａ】図４Ａの上段３パネル（ａ）、（ｂ）、（ｃ）は、アシッドレッドを含む染色剤とクルクミン類を含む染色剤とで、マウス消化管大腸の内壁を２重生体染色した後、共焦点レーザ顕微鏡を用いて消化管の内壁表面および表面から約３０μｍ生体内部までの細胞画像を撮像し、デジタル画像化した結果を示す。（ａ）は、アシッドレッドを含む染色剤による生体染色画像、（ｂ）は、クルクミン類を含む染色剤による生体染色画像、（ｃ）は、（ａ）と（ｂ）の重ね合わせ画像である。下段の３パネル（ｄ）、（ｅ）、（ｆ）は、上段の生体染色で撮像したマウス消化管大腸の同じ部位を、ホルマリン固定後、蛍光抗体法で、（ｄ）Alexa488標識ファロイジンで細胞内アクチン繊維を可視化し、同時に（ｅ）抗STAT3抗体とAlexa594標識二次抗体で、染色し、がん関連遺伝子産物STAT3の分布を示したもので、（ｆ）は、（ｄ）と（ｅ）の重ね合わせ画像である。
【図４Ｂ】図４Ｂは、マウスの正常大腸粘膜の超早期がんの細胞群をクルクミン生体染色と共焦点レーザ顕微鏡によって画像化したものである。
【図４Ｃ】図４Ｃは、ヒト胃アデノーマの手術摘出直後のサンプルをクルクミンで生体染色し、多光子レーザ顕微鏡で画像化したものであって、クルクミン色素によって染色された色領域を抽出した画像である。
【図４Ｄ】図４Ｄは、ヒト胃アデノーマの手術摘出直後のサンプルをクルクミンおよびアシッドレッドで２重生体染色し、多光子レーザ顕微鏡で画像化したものである。
【図４Ｅ】図４Ｅは、クルクミンを含む染色剤とアシッドレッドを含む染色剤とで消化管の内壁を２重染色した後、多光子レーザ顕微鏡を用いて消化管の内壁を撮像した場合の画像であって、（ａ）は正常な消化管の画像、（ｂ）は超早期段階のがんの画像である。
【図５Ａ】図５Ａは、消化管の一例である大腸の細胞の配列を示す模式図である。
【図５Ｂ】図５Ｂは、消化管に発生する超早期がんにおけるがん細胞を模式的に示す図である。
【図５Ｃ】図５Ｃは、多光子レーザ顕微鏡および共焦点レーザ顕微鏡を用いて消化管の内壁を撮像する様子を示すと同時に、粘膜の表面の焦点面（ａ）および粘膜の表面から深さ約５０μｍ（ｂ）の焦点面において撮像される細胞画像の例を図示する模式図である。
【図６Ａ】図６Ａは、前がん状態の一つの形態として位置づけられていたACF(Atypical  Crypt  Foci)と呼ばれる病変部（中央部に見える円形の構造）のクルクミン生体染色によるがん関連遺伝子STAT3発現パターンとフロキシン生体染色によるras系のがん関連遺伝子発現パターンの２種類のパターンを同時に多光子レーザ顕微鏡画像によって解析した図である。（ａ）はクルクミン生体染色されたSTAT3のがん関連遺伝子発現パターンの画像、（ｂ）はフロキシン生体染色によるras系のがん関連遺伝子発現パターンの画像、（ｃ）は（ａ）と（ｂ）との重ね合わせ画像である。
【図６Ｂ】図６Ｂは、図６Ａの拡大図であって、前がん状態の一つの形態として位置づけられていたACF(Atypical  Crypt  Foci)と呼ばれる病変部（中央部に見える円形の構造）のクルクミン生体染色によるがん関連遺伝子STAT3発現パターンとフロキシン生体染色によるras系のがん関連遺伝子発現パターンの２種類のパターンを同時に多光子レーザ顕微鏡画像によって解析した図である。（ａ）はクルクミン生体染色されたSTAT3のがん関連遺伝子発現パターンの画像、（ｂ）はフロキシン生体染色によるras系のがん関連遺伝子発現パターンの画像、（ｃ）は（ａ）と（ｂ）との重ね合わせ画像である。
【図７】図７は、実施の形態１に係るがん検査装置において、消化管内に挿入管を挿入した状態を示す図であり、（ａ）は挿入管を挿入した直後の状態、（ｂ）は消化管内に空間を形成した状態を示す図である。
【図８】図８は、実施の形態１に係るがん検査装置の塗布部の一例を示す図である。
【図９】図９の（ａ）は、実施の形態１に係るがん検査装置を用いて消化管の内壁を平坦化する様子を示す図であり、図９の（ｂ）はがん検査装置の先端側の端部を示す模式図である。
【図１０】図１０は、実施の形態１に係るがん検査装置における内視鏡の先端部の構造を示す概略図である。
【図１１】図１１は、実施の形態１に係るがん検査装置の制御構成を示すブロック図である。
【図１２】図１２は、実施の形態１に係るがん検査装置の動作の一例を示すフローチャートである。
【図１３】図１３は、実施の形態２に係るがん検査装置の制御構成を示すブロック図である。
【図１４】図１４は、実施の形態２に係るがん検査装置を示す模式図である。
【図１５】図１５は、実施の形態３に係るがん検査装置の内視鏡の先端側の端部を示す概略図である。
【図１６】図１６は、内視鏡の全体を示す概略図である。
【図１７】図１７は、がん検査装置の制御構成を示すブロック図である。
【図１８】図１８は、実施の形態３に係るがん検査装置の動作の一例を示すフローチャートである。
【図１９Ａ】図１９Ａは、クルクミンを含む染色剤とアシッドレッドを含む染色剤で染色された消化管の内壁の合成画像である。
【図１９Ｂ】図１９Ｂは、クルクミンを含む染色剤とアシッドレッドを含む染色剤で染色された消化管の内壁の合成画像であり、撮像軸と展開した画像の位置関係を示す図である。
【図２０Ａ】図２０Ａは内壁面（粘膜表面）から所定範囲の深さにおける細胞形態を示す３次元データ画像であって、クルクミン色素およびアシッドレッド色素の両方の色素によって染色された色領域を抽出した画像である。
【図２０Ｂ】図２０Ｂは、図２０Ａに示す画像からクルクミン色素によって染色された色領域を抽出した画像である。
【図２０Ｃ】図２０Ｃは、図２０Ａに示す画像からからアシッドレッド色素によって染色された色領域を抽出した画像である。
【発明を実施するための形態】
【００４７】
（本発明の基礎となった知見１）
本発明の基礎となった知見１および知見２のうち、まず、本発明の基礎となった知見１、および、知見１に関する発明の主要構成について説明する。
【００４８】
まず、正常な生体細胞が、がん細胞に変わって増殖していくがん化のメカニズムについて説明する。図１Ａは、生体細胞のがん関連遺伝子産物が正常な働きをしている状態を示す模式図である。細胞内には、細胞の分裂・増殖を正と負の方向に制御する２方向の情報伝達シグナル系が存在する。すなわち、細胞増殖を加速する機能のある増殖促進系シグナルと増殖を阻止する機能のある増殖抑制系シグナル系がある。図１Ｂは、生体細胞のがん関連遺伝子産物が異常な働きをしている状態を示す模式図である。十字星の印はそれぞれのがん関連遺伝子産物に生じたがん性の変異を示す。
【００４９】
生体細胞は、細胞増殖遺伝子を含む核と、核を取り囲む細胞質とで構成される。細胞には、タンパク質からなる複数種類のがん関連遺伝子が含まれている。がん関連遺伝子としては、例えば、図１Ａに示されるように、増殖促進系シグナルを伝達するras（rat  sarcoma）系、STAT3（Signal  Transducer  and  Activator  of  Transcription  ３）系に属するものと、増殖抑制系シグナルを伝達するＡＰＣ（antigen  presenting  cell）／β-catenin系、ｐ５３（protein  ５３）系に属するものとがある。すなわちras系およびSTAT3系のがん関連遺伝子産物は、細胞の増殖促進シグナルを伝達するアクセル系の遺伝子産物として分類され、ＡＰＣ／β-catenin系およびｐ５３系のがん関連遺伝子は、細胞の増殖抑制シグナルを伝達するブレーキ系の遺伝子産物として分類されている。
【００５０】
細胞の分裂・増殖の制御機構について説明する。まず、生体細胞の細胞膜にある受容体に細胞外からの増殖制御物質である細胞増殖因子（ＥＧＦ）が結合すると、アクセル系のras系およびSTAT3系のがん関連遺伝子産物が活性化され、これらの増殖促進シグナルが核に伝達されると、核内で細胞増殖に必要な遺伝子群が活性化される。一方、細胞内には、ブレーキ系のＡＰＣ／β-catenin系およびｐ５３系のがん関連遺伝子産物も常に一定レベル活性化されており、これらの増殖抑制シグナルが核内の細胞増殖遺伝子の活性化を抑制し、細胞の増殖を抑制しようとする。生体細胞のがん関連遺伝子が正常な働きをしている場合は、細胞の増殖を促進する作用と抑制する作用とが互いにバランス良く働くことで、生体内の細胞の増殖が適度に行われる。
【００５１】
それに対し、例えば、ras系またはSTAT3系のがん関連遺伝子産物が異常な働きをしている場合は、図１Ｂに示されるように、増殖促進シグナル系のras系またはSTAT3系のがん関連遺伝子産物の活性が強まり、細胞の増殖が必要以上に亢進される。また、例えば、ＡＰＣ／β-catenin系またはｐ５３系のがん関連遺伝子産物が異常な働きをしている場合は、ＡＰＣ／β-catenin系またはｐ５３系の増殖抑制シグナル系のがん関連遺伝子産物の活性が弱まり、細胞の増殖を抑制する機能が低下する。このように、複数種類のがん関連遺伝子のいずれかが、正常とは異なる働きをすることで、正常細胞における適度な増殖に破綻をきたし、がん細胞におけるような異常な細胞増殖の亢進が始まる。
【００５２】
図１Ｃは、消化管内壁面における生体細胞群の段階的がん化過程を示した模式図である。図１Ｃでは、生体細胞群のがん化の過程が、第１段階、第２段階、第３段階および第４段階に順に分けて示されている。
【００５３】
第１段階は、生体細胞群の一部においてがん化が始まろうとしている段階である。第１段階は、ＡＰＣ／β-catenin系のがん関連遺伝子の活性が弱まり、細胞の増殖を抑制する機能が低下することで起こると考えられる。この段階では、細胞の増殖はやや亢進し、少なくとも、将来的にがん細胞となり得る前がん状態が発現していることを示している。
【００５４】
第２段階は、第１段階よりもがん化が進んだ前がん状態である。第２段階は、ras系のがん関連遺伝子の活性が強まり、細胞の増殖が亢進していると考えられる。また、STAT3系のがん関連遺伝子もこの段階で活性化される可能性があると考えられる。がん細胞集団の大きさは小さく、その直径は、例えば０．１ｍｍ以上０．４ｍｍ以下である。がん細胞集団の直径とは、がん細胞集団を、がん細胞集団の面積と同じ面積を有する円とみなした場合の直径である。この段階は、患者の生命をすぐに脅かす段階ではないが、今後に備えて治療計画等を立てておくことが望ましい。
【００５５】
なお、後述する前記の前がん状態の一つの形態として位置づけられていたACF(Atypical  Crypt  Foci)は、第１段階と第２段階に属する細胞群の中で、腺の開口部、ルーメンの形が、正常では円形になるが、細長いスリット状開口部を持ち、さらに腺細胞の中における杯細胞が正常よりも減少しているという明確な形態学的特長を持つものに対応して、特別の名称で定義されたものであると考えられる。
【００５６】
第３段階は、生体細胞群の一部が浸潤状態となり、がん細胞が顕在化した段階である。第３段階は、ｐ５３系のがん関連遺伝子の活性も弱まり、細胞の増殖を抑制する機能が低下することで起こると考えられる。この段階は、ｐ５３系およびＡＰＣ／β-catenin系の両方のブレーキ系がん抑制遺伝子産物の活性が弱まり、細胞の増殖を抑制する機能が大きく低下した状態にあるので、がん細胞の増殖が加速的に進み、がん細胞が、周囲組織に浸潤してゆく。第３段階まで進むと、その直径は０．５ｍｍ以上に達し、そのまま放置すると個体の死を惹起するがんが完成する。
【００５７】
第４段階は、第３段階で完成したがん細胞が、がんになった後、さらなる遺伝子変異を生じ、さらに細胞増殖、浸潤、転移が起こりやすい悪性のがんに進展した段階である。この段階は、消化管以外の他の遠隔臓器へのがん転移が始まる段階であり、患者の生命を脅かす危険な段階である。これら第１段階から第４段階への進行スピードは、がん関連遺伝子の活性状態により左右されると考えられる。
【００５８】
図１Ｄは、人のがん細胞の増殖曲線の一例を示す図である。
【００５９】
図１Ｄに示されるように、一般的に、がん細胞の数は所定の増殖曲線に従って増加する。例えば、がん化が始まろうとしている段階の３年間（がん細胞集団の直径が０．２ｍｍ未満の時期）は増殖曲線の傾きが小さいが、４年以降（がん細胞集団の直径が０．５ｍｍ以上の時期）では増殖曲線の傾きが大きくなる。そして、７年以降になると増殖曲線の傾きは小さくなる。なお、一般的にがんが臨床的に発見され、治療が行われるのは７年以降の時期である。これは、がん細胞集団の直径が１０ｍｍ以上となってからでないと検出できないからである。
【００６０】
ここで注目すべきは、増殖曲線の破線Ａで示す範囲において、細胞の数が指数関数的に増加している点である。この指数関数的な増加は、これらのがん細胞には、起こるべき第１段階から第３段階までのがん性遺伝子変異が完了し、がん細胞が一定の均一な速度で分裂を繰り返していることを意味している。この指数関数的な増加の初期の段階、すなわち、がん関連遺伝子発現パターンに異常をきたしているが、がん細胞集団自体は直径１ｍｍ以下と小型である段階で、これらのがん細胞集団（超早期がん）を検出できれば、これらの超早期がんは十分小さく、完全摘出が容易なので、がんを根治できる。このように、超早期の段階で、がん化の悪性度レベルをがん関連遺伝子発現パターンの異常として把握することができれば、危険な段階となる前に、がんを根本治療することが可能となる。
【００６１】
そこで発明者らは、生体細胞群のがん関連遺伝子発現パターンを多光子レーザ顕微鏡または共焦点レーザ顕微鏡で撮像し、がん関連遺伝子の活性状態を視覚化することで、がん化の悪性度レベルを把握することを試みた。
【００６２】
また、発明者らは、生体細胞のがん関連遺伝子発現パターンを視覚化するにあたり、可食性の色素を含む染色剤を用いてがん関連遺伝子産物を有彩色に染色して撮像を行った。なお、可食性の色素とは、自然色素または人工合成色素のうち、人への投与が許可されている色素（例えば食品着色用の色素やサプリメントで服用可能な色素）である。
【００６３】
具体的には、STAT3系のがん関連遺伝子産物を選択的に染色する染色剤として、クルクミン類（Curcumin、Ｃ２１Ｈ２０Ｏ６）を含む染色剤を準備した。また、ras系のがん関連遺伝子発現パターンを選択的に染色する染色剤として、フロキシン(Phloxine、Ｃ２０Ｈ２Ｂｒ４Ｃｌ４Ｎａ２Ｏ５)を含む染色剤を準備した。
【００６４】
より具体的には、クルクミン類を含む染色剤として、クルクミンを１重量％含むクルクミン含有溶液を準備し、フロキシンを含む染色剤として、フロキシンを１重量％含むフロキシン含有溶液を準備した。なお、クルクミン類を含む染色剤としては、クルクミン溶液（例えば、原液は、クルクミンを５％、４５％グリセロール、５０％エタノールを含む液体）を生理食塩水で１／５〜１／１００希釈したものでもよい。１％フロキシンを含む染色剤としては、フロキシン溶液（原液１０ｍｇ／ｍＬ）をそのままの濃度〜１／１０希釈したものでもよい。
【００６５】
そして、クルクミン類を含む染色剤を用いて、生体細胞内のSTAT3系のがん関連遺伝子産物の発現を染色した後、生理食塩水で約１０秒間の洗浄を３回行った。次に、フロキシンを含む染色剤を用いて生体細胞内のras系のがん関連遺伝子発現パターンを染色した後、生理食塩水で約１０秒間の洗浄を３回行った。このような２重染色によって、STAT3系とras系のがん関連遺伝子産物の発現量の解析が、同時に可能になった。なお、各染色剤の染色時間はそれぞれ２〜５分間とした。上記した濃度においては、染色開始後から１０分以内であれば細胞質に浸透しても細胞内の核に浸透しないため、細胞質に囲まれている核を鮮明に視覚化できることで、分析がより明瞭にできるようになる。
【００６６】
次に、これらの染色剤を用いて染色されたSTAT3系およびras系のがん関連遺伝子産物の発現パターンを、多光子レーザ顕微鏡（オリンパス社製ＦＶ１０００ＭＰＥ）を用いて撮像した。レーザの波長は８４０ｎｍとした。撮像対象はマウスの大腸内壁であり、大腸内壁においてがん細胞が発生している複数の部分（それぞれ試料１、２、３）と、がん細胞が発生していない正常細胞の部分（試料４）とに分けて観察した。
【００６７】
図２Ａは、試料１に関するマウス大腸の一群の生体細胞集団のがん関連遺伝子発現パターンの画像であり、（ａ）はクルクミン類を含む染色剤を用いて正常細胞よりがん細胞が濃く染色されたSTAT3系のがん関連遺伝子産物の画像、（ｂ）はフロキシンを含む染色剤を用いて染色されたras系のがん関連遺伝子発現パターンの画像、（ｃ）は（ａ）と（ｂ）との重ね合わせ画像である。なお、図２Ａおよび後述する図２Ｂ、図２Ｃ、図３は、白黒であるが本来カラー画像である。
【００６８】
図２Ａの（ａ）では、STAT3系のがん関連遺伝子産物は緑の蛍光色に表現されている。画面中における緑の蛍光色の染色領域の割合、すなわちSTAT3系のがん関連遺伝子発現が優勢な細胞が占める割合は３０％である。
【００６９】
図２Ａの（ｂ）では、ras系のがん関連遺伝子は赤の蛍光色に表現されている。画面中における赤の蛍光色の染色領域の割合、すなわちras系のがん関連遺伝子発現が優勢な細胞が占める割合は８０％である。
【００７０】
図２Ａの（ｃ）では、STAT3系のがん関連遺伝子産物とras系のがん関連遺伝子発現パターンとの共存領域が黄色の蛍光色に、STAT3系のがん関連遺伝子発現のみの領域は緑の蛍光色に、ras系のがん関連遺伝子発現のみの領域は赤の蛍光色に表現されている。画面中における黄色の蛍光色の染色領域の割合は１０％である。
【００７１】
試料１に関するマウス大腸の一群の生体細胞集団では、STAT3系のがん関連遺伝子発現が優勢な細胞の領域が３０％、ras系のがん関連遺伝子発現が優勢な細胞の領域が８０％、両者の共存領域が１０％であった。試料１に関する一群の生体細胞集団は、がん化の悪性度レベルでいうと図１Ｃに示す第２段階〜第３段階（超早期がん）であると考えられる。すなわち、この一群の生体細胞集団のステージ診断としては、STAT3系とras系の両方が陽性の細胞が１０％を占め、この細胞群は少なくとも第２段階は通過しており、この細胞集団の直径が０．２ｍｍ以上あることから（図１Ｄ参照）、すでに第３段階（超早期がん）に入っている可能性が高いと推定される。
【００７２】
図２Ｂは、試料２に関する一群の生体細胞集団のがん関連遺伝子発現パターンを図２Ａと同様に示した画像である。
【００７３】
図２Ｂの（ａ）では、画面中における緑の蛍光色の染色領域の割合、すなわちSTAT3系のがん関連遺伝子発現領域が占める割合が５０％である。図２Ｂの（ｂ）では、画面中における赤の蛍光色の染色領域の割合、すなわちras系のがん関連遺伝子発現領域が占める割合が９０％である。図２Ｂの（ｃ）では、画面中における黄色の蛍光色の染色領域の割合、すなわちSTAT3系のがん関連遺伝子とras系のがん関連遺伝子との共発現領域の割合が２０％である。生体細胞群では、STAT3系およびras系のがん関連遺伝子が活性化され、試料１（図２Ａ参照）と同様に、遺伝子発現に多様性があるがん化が認められる。この試料２に関する一群の生体細胞集団のステージ診断としては、STAT3系とras系の両方が陽性の細胞が２０％を占め、この細胞群は少なくとも第２段階は通過しており、この細胞集団の直径が０．２ｍｍ以上あることから（図１Ｄ参照）、すでに第３段階（超早期がん）に入っている可能性が高いと推定される。
【００７４】
図２Ｃは、試料３に関する一群の生体細胞集団のがん関連遺伝子発現パターンを図２Ａと同様に示した画像である。
【００７５】
図２Ｃの（ａ）では、画面中における緑の蛍光色の染色領域の割合、すなわちSTAT3系のがん関連遺伝子発現領域が占める割合が３０％である。図２Ｃの（ｂ）では、画面中における赤の蛍光色の染色領域の割合、すなわちras系のがん関連遺伝子発現領域が占める割合が７５％である。図２Ｃの（ｃ）では、画面中における黄色の蛍光色の染色領域の割合、すなわちSTAT3系のがん関連遺伝子とras系のがん関連遺伝子との共発現領域の割合が５％である。試料３に関する生体細胞群では、ras系のがん関連遺伝子が活性化しておらず、試料１（図２Ａ参照）に比べて、がん細胞の遺伝子発現の多様化が進行していない。
【００７６】
試料３に関する一群の生体細胞集団のステージ診断としては、STAT3系とras系の両方が陽性の細胞が５％を占め、この細胞群は少なくとも第２段階は通過しており、この細胞集団の０．１ｍｍ程度あることから（図１Ｄ参照）、また、STAT3系陽性細胞が多くの島状に点在している状態から判断すると、これらの細胞の移動性が亢進し、浸潤性が高まっていることが予想され、すでに第３段階（超早期がん）に入っている可能性が高いと推定される。このように、多くのがん関連遺伝子産物の発現状態を細胞レベルで詳細に分析することにより、がんのステージ診断および悪性度診断が可能となる。がん細胞の分散性で転移を判断し、細胞集団の大きさは増殖性を示すと考えられる。
【００７７】
例えば図２Ｃ（ａ）に示すように、単位面積あたりの個々のがん集団の径は小さいが、分散して多数存在するような場合、転移が進むことを示していると考えられる。上記の様に、転移性のがんは平均サイズ（直径）が小さいことを分析手法に組み入れることが可能となる。このような場合の悪性度レベルは、転移性レベルを３〜５段階に分類し、ras、STAT3による染色面積などによる悪性度と共に転移性レベルを併記する事が望ましい。
【００７８】
図３は、試料４に関する正常なマウス大腸生体細胞群の画像である。図３の（ａ）〜（ｃ）では、画面中における緑、赤、黄色の蛍光色がなく暗い色に表現されている。がん細胞が存在しない試料４に関する生体細胞群では、STAT3系およびras系のがん関連遺伝子産物の発現量が亢進していない。
【００７９】
このように、生体細胞群におけるがん関連遺伝子の発現を解析することで、がん化の悪性度レベルを判定することができる。すなわち、本発明の主要構成によれば、病変が小さすぎて現行の検査装置（内視鏡等）ではその存在にさえ気づかない超早期がんを、早い段階で発見し、がん細胞の悪性度の評価を通して、がん患者の予後を知ることが可能となる。このように早い段階で完全摘出することで、がんを根治することができる。
【００８０】
ここで図４Ｂは、正常大腸粘膜と、大腸がんをクルクミンで生体染色し共焦点レーザ顕微鏡で画像化したもので有り、クルクミンが細胞質には取り込まれるが、核には取り込まれないことから、個々の細胞の輪郭と核の形態が明瞭に可視化できるため、病理診断が確実に行えることを示している。図４Ｂの（ａ）に比べ図４Ｂの（ｂ）では、大腸がん部分のため陰窩が確認できないため、がんの判定に使うことができる。
【００８１】
さらに、図４Ｃの（ａ）はヒトの胃のアデノーマの手術摘出新鮮標本を生体外でクルクミンで生体染色し、多光子レーザ顕微鏡で画像化したものである。図４Ｄの（ａ）は、ヒトの胃のアデノーマの手術摘出新鮮標本を生体外でクルクミンとアシッドレッドで２重生体染色した画像である。この場合も個々の細胞の輪郭と核の形態が明瞭に可視化できるため、病理診断が確実に行えることを示している。図４Ｃおよび図４Ｄの右に書かれた（ｂ）に示すグラフ中、蛍光を測定する際のフィルタの波長幅をFilter1、Filter2のハッチングで帯域を示し、Ｅ２はクルクミンの蛍光特性、Ｅ７はアシッドレッドの蛍光特性を示している。そのため図４Ｄの（ａ）では、２色染色によってもたらせる蛍光波長の違いを、色の違いとして表現している。本図は白黒のためコントラストの違いに見えるが、本来明確に波長で分けられる画像として取り込めているものである。図４Ｃおよび図４Ｄの両図においてIIで示すがん化が始まろうとしている領域は、細胞異型の一種であり、腺における核が２列に並んでおり、がんによる分裂が始まろうとしている。すなわち、核が可視化できることにより、細胞単位でがん化が始まろうとしていることが明瞭に把握できる。
【００８２】
なお、発明者らは、がん関連遺伝子発現パターンが選択的に染色される一例として、図４Ａに示すように、クルクミン類を含む染色剤を用いることでSTAT3系のがん関連遺伝子産物が選択的に有彩色に染色されることを確認済みである。図４Ａは、白黒であるが本来カラー画像である。この画像化は、共焦点レーザ顕微鏡でも、多光子レーザ顕微鏡でも可能である。
【００８３】
図４Ａの（ａ）、（ｂ）、（ｃ）は、生きた状態のマウスの腸の内壁を１％クルクミン溶液で染色した後、１％アシッドレッド（Acid Red、Ｃ２７Ｈ２９Ｎ２ＮａＯ７Ｓ２）で染色することで、腸の内壁の生体細胞群を２重に染色したサンプルである。撮像装置としては、共焦点レーザ顕微鏡を用いた。
【００８４】
図４Ａの（ａ）では、アシッドレッドで染色された領域が濃い赤色で示され、大腸の腺の周囲の毛細血管・結合組織の構造（網の目構造）が可視化されている。図４Ａの（ｂ）では、クルクミン類で染色された領域が濃い緑色で示されている。図４Ａの（ｃ）は、（ａ）と（ｂ）の重ね合わせ画像である。図４Ａの（ｃ）の画像より、クルクミン類で濃く染色された領域において、アシッドレッドで染色された腺および腺周囲の毛細血管・結合組織の構造（陰窩構造）が消失し、乱れていることから、この領域で超早期がんが発生していると考えられる。
【００８５】
上段３パネルでは、（ｂ）クルクミン類を含む染色剤による生体染色で正常細胞よりがん細胞でより濃く染まっている、白線の長方形で囲む細胞群が存在し、同じ部位を（ａ）アシッドレッドを含む染色剤による生体染色画像と比較すると、アシッドレッドで染まる毛細血管が腺の周囲を囲む網の目上のパターン（陰窩パターン）が消失していることから、このクルクミン染色で濃く染まる細胞群を含む部位が、超早期がんであることが判る。下段の３パネル（ｄ）、（ｅ）、（ｆ）は、上段の生体染色で撮像したマウス消化管大腸の同じ部位を、ホルマリン固定後、蛍光抗体法で、（ｄ）Alexa488標識ファロイジンで細胞内アクチン繊維を可視化し、同時に（ｅ）抗STAT3抗体とAlexa594標識二次抗体で、染色し、がん関連遺伝子産物STAT3の分布を示したもので、（ｆ）は（ｄ）と（ｅ）の重ね合わせ画像である。
【００８６】
図４Ａの（ｄ）、（ｅ）、（ｆ）は、上記マウスの腸をホルマリン固定した後、STAT3系のがん関連遺伝子産物と結合する抗STAT3抗体で免疫染色し、（ａ）、（ｂ）、（ｃ）の白い枠で囲んだ場所と同じ場所をそれぞれ撮像したものである。なお、（ｄ）〜（ｆ）は、ホルマリン固定しているので、サンプルがやや収縮している。
【００８７】
上段３パネルの白線の長方形の場所を、下段３パネルで撮影している。この上段（ｂ）の生体染色でクルクミンによって濃く染まる細胞群は、下段の（ｅ）の、がん関連遺伝子産物STAT3の発現が高い細胞群の分布と一致しており、このことから、クルクミンによる生きた細胞の生体染色は、がん関連遺伝子産物STAT3を検出していると示唆される。
【００８８】
さらに、下段３パネル（ｅ）の、がん関連遺伝子産物STAT3の発現が高い細胞群の分布と、（ｄ）の、細胞内アクチン繊維の分布を比較すると、STAT3の発現が高い細胞群では、アクチン繊維の分布が疎になり、細胞同士の接着が疎になっていることを示唆しており、一般にがん化細胞では細胞同士の接着が疎になっていることが知られていることから、STAT3の発現が高い細胞群ががん化細胞であることが示唆される。
【００８９】
まとめると、下段３パネルは、アクチン繊維に乏しい中央部の細胞群はがん化しており、それらの細胞群は、がん関連遺伝子産物STAT3の発現が高い細胞群と一致し、さらに、上段３パネルから、このがん関連遺伝子産物STAT3の発現が高い細胞群がクルクミンによる生体染色で正常細胞よりがん細胞でより濃く染まっている超早期がん細胞であることが証明されている。
【００９０】
この画像は、共焦点レーザ顕微鏡であるが、同様の画像は、多光子レーザ顕微鏡画像によっても撮像可能である。
【００９１】
図４Ａの（ｄ）では、アクチン蛍光により、主に細胞の輪郭が示されている。図４Ａの（ｅ）では、抗STAT3抗体で免疫染色されたものが示されている。図４Ａの（ｆ）は、（ｄ）と（ｅ）の重ね合わせ画像であり、画面中央部の島状の部分で白いアクチン反応が減少し、緑色のSTAT3系タンパク質免疫反応が増加している。これにより、この島状の部分に、STAT3系のがん関連遺伝子産物が多く発現していると考えられる。
【００９２】
図４Ａのそれぞれの画像を参照し、図４Ａの（ｃ）にてがん細胞が発生している領域と、図４Ａの（ｆ）にてSTAT3系のがん関連遺伝子産物が検出される領域とが一致することから、生きた状態の細胞においてクルクミン類で濃く染色される領域には、超早期がんが発生し、また、超早期がんに関係するがん関連遺伝子産物が発現していることがわかる。上記したように輝度や蛍光色の違い、または幾何学パターンの違いで超早期段階のがん関連遺伝子の発現を画像上で検出し、悪性度レベルの分析を行なうことができ、コンピュータによる自動診断も可能となる。自動診断に際しては、確度の高い輝度で発現場所の特定や、陰窩構造の規則的分布の解析を行い、構造の消失度合いや蛍光色の混合状態で悪性度レベルの判断を行なうなどの方法がとられる。幾何学パターン利用の方法としては臓器ごとにパターンが異なるが、図４Ａの（ｃ）による例では、５００μｍ角の一定面積内の暗部（暗い孔状のパターン）の数を計数し、密度を数値化するなどの方法がある。また、多くのがん関連遺伝子発現パターン並びに正常細胞パターン画像を記憶した画像から認識する人工知能による診断にも役立てられるものである。陰窩構造の孔状のパターン以外に暗部の濃淡繰り返し数や、図４Ｅの（ａ）および（ｂ）もマウスの腸の染色画像であるが、生体染色剤の生体細胞への浸透深度、共焦点および多光子レーザによる撮影深度、波長、染色剤の差などから、異なったパターンとして画像化される場合がある。図４Ｅの（ａ）のような腺と毛細血管による島状パターンの密度を計測する、島状パターンの乱れを認識させる等の診断方法がとれる。更には、図４Ａの（ｃ）では暗部間ピッチ、暗部直径など、また図４Ｅの（ａ）における島状パターンのピッチ、島状パターンの直径等の距離測定もパターンの乱れを判断するには有効である。
【００９３】
このように、多くのがん関連遺伝子産物の発現状態を細胞レベルで詳細に分析することにより、がんのステージ診断および悪性度診断が可能となる。がん細胞の分散性で転移を判断し、細胞集団の大きさは増殖性を示すと考えられる。
【００９４】
例えば、単位面積あたりの個々のがん集団の径は小さいが、点在する島状に分散して多数存在するような場合、転移が進むことを示していると考えられる。上記の様に、転移性のがんは平均サイズが小さいことを分析手法に組み入れることが可能となる。
【００９５】
（本発明の基礎となった知見２）
次に、本発明の基礎となった知見２、および、知見２に関する発明の主要構成について説明する。
【００９６】
まず、生体の内部構造とがん細胞との関係について説明する。
【００９７】
生体の内部には、消化管、呼吸器、腎泌尿器、子宮卵巣生殖器などの臓器や、脳脊髄神経などが含まれている。消化管としては、食道、胃、小腸、大腸などが挙げられる。
【００９８】
図５Ａは、消化管１１２の一例である大腸の細胞の配列を示す模式図である。例えば、大腸の内壁は、粘液を分泌する腺１３０と、腺１３０よりも内壁面（粘膜表面）１１３側で食物に接して水分を吸収する上皮１２０とにより構成されている。上皮１２０は、内壁面１１３に沿って並んだ複数の上皮細胞１２１により構成されている。上皮細胞１２１は、核１２５と細胞質１２６を有している。腺１３０は、上皮１２０の一部がつぼ状に窪んだ形状をしている。腺１３０は、複数の腺細胞１３１により構成され、腺細胞１３１は、核１３５と細胞質１３６を有している。腺１３０が窪んだ部分は、腺１３０の陰窩（いんか）１３８と呼ばれる。上皮細胞１２１の内側および腺細胞１３１の周囲には、基底膜１３７、毛細血管１３２および結合組織１３３が形成されている。上皮細胞１２１の表面には、腺１３０から分泌された薄い粘液層が形成されており、上皮細胞１２１はこの粘液層により保護されている。
【００９９】
図５Ｂは、消化管１１２に発生するがん細胞集団１５２を模式的に示す図である。消化管１１２に発生する超早期段階のがん細胞集団１５２は、一般的に、消化管１１２の内壁面（粘膜表面）１１３から深さ約１ｍｍ以内の位置にて発生すると言われている。粘膜筋板１６０に到達して超える前の状態である早期段階のがん細胞集団１５２を、消化管粘膜の広範囲にわたり漏れなく発見することができれば、粘膜筋板１６０を超えて拡大し他の臓器に転移を発生する状態である進行がんにつながるケースを少なくすることができる。
【０１００】
図５Ｃは、多光子レーザ顕微鏡および共焦点レーザ顕微鏡を用いて消化管１１２の内壁を撮像する様子を示す模式図である。図５Ｃに示すように、多光子レーザ顕微鏡および共焦点レーザ顕微鏡の対物レンズ１６は、撮像対象である消化管１１２の内壁にレーザＬを照射するため、消化管１１２の内壁面１１３に対向して配置される。図５Ｃの左半面では、多光子レーザ顕微鏡または共焦点レーザ顕微鏡を用いて消化管の内壁を撮像する様子を示すと同時に、同図の右半面では、粘膜表面の焦点面ａ−ａ線上での断面図（ａ）および粘膜の表面から深さ約５０μｍのｂ−ｂ線上での断面図（ｂ）の焦点面において撮像される細胞画像の例を図示する模式図である。多光子レーザ顕微鏡では粘膜の表面から深さ約５００μｍｍまたは深さ１０００μｍまで撮像可能であり、共焦点レーザ顕微鏡では粘膜の表面から深さ約５０μｍまたは深さ１００μｍまで撮像可能である。
【０１０１】
主に上皮細胞１２１を撮像する場合は、対物レンズ１６の焦点が内壁面（粘膜表面）１１３に結ばれるように、対物レンズ１６を配置する。これにより、上皮細胞１２１等は、図５Ｃのａ−ａラインで切断した模式図である図５Ｃの（ａ）のように表れる。また、主に腺細胞１３１、毛細血管１３２および結合組織１３３を撮像する場合は、対物レンズ１６の焦点が内壁面（粘膜表面）１１３よりも１０μｍ以上深い位置に結ばれるように、対物レンズ１６を配置する。これにより、腺細胞１３１、毛細血管１３２および結合組織１３３は、図５Ｃのｂ−ｂラインで切断した模式図である図５Ｃの（ｂ）のように表れる。
【０１０２】
例えば、核１２５、１３５または腺１３０の陰窩１３８などに現れるがん関連遺伝子発現パターンの大きさおよび形状を、前がん状態（図１Ｃに示す第２段階）にて検出することができれば、がん細胞集団の直径が０．５ｍｍ以上１ｍｍ以下の超早期段階においてがんの悪性度レベルを判断することができる。
【０１０３】
図６Ａは、生体細胞のがん関連遺伝子発現パターンの画像である。図６Ｂは、図６Ａの拡大図である。なお、図６Ａおよび図６Ｂは、白黒であるが本来カラー画像である。
【０１０４】
図６Ａは、前がん状態の一つの形態として位置づけられていたACF(Atypical  Crypt  Foci)と呼ばれる病変部（中央部に見える円形の構造）のクルクミン生体染色によるがん関連遺伝子STAT3発現パターンとフロキシン生体染色によるras系のがん関連遺伝子発現パターンの２種類のパターンを同時に多光子レーザ顕微鏡画像によって解析した例である。（ａ）はクルクミン生体染色されたSTAT3のがん関連遺伝子発現パターンの画像、（ｂ）はフロキシン生体染色によるras系のがん関連遺伝子発現パターンの画像、（ｃ）は（ａ）と（ｂ）との重ね合わせ画像である。
【０１０５】
図６Ａおよび図６Ｂは、染色剤４５にて染色されたがん関連遺伝子発現パターンを、多光子レーザ顕微鏡（オリンパス社製ＦＶ１０００ＭＰＥ）を用いて実際に撮像した画像である。レーザの波長は８４０ｎｍであり、撮像対象はマウスとした。染色剤は知見１に示した染色剤と同じであり、STAT3系のがん関連遺伝子産物を選択的に染色する染色剤としてクルクミン類（Curcumin、Ｃ２１Ｈ２０Ｏ６）を含む染色剤を用い、また、ras系のがん関連遺伝子発現パターンを選択的に染色する染色剤としてフロキシン(Phloxine、Ｃ２０Ｈ２Ｂｒ４Ｃｌ４Ｎａ２Ｏ５)を含む染色剤を用いた。
【０１０６】
図６Ａおよび図６Ｂでは、陰窩１３８の一部が緑色に染色され、陰窩１３８にSTAT3系のがん関連遺伝子産物が発現している状態が示されている。この図中央部の構造は、ＡＣＦ（Ａｔｙｐｉｃａｌ  Ｃｒｙｐｔ  Ｆｏｃｉ）前がん状態と呼ばれる。この図の中央部の構造は、腺細胞が並んで腺のような構造を形成しているが、中央部の腺の開口部、ルーメンの形が、正常大腸粘膜では円形になるが、この図の中央の構造は、細長いスリット状開口部を持ち、さらに腺細胞の中における杯細胞が正常よりも減少していることから、明らかなACFの形態学的な特徴を持っている。この前がん状態ACFにおいて、（ａ）クルクミン生体染色されたSTAT3のがん関連遺伝子発現の軽度な亢進と、（ｂ）フロキシン生体染色によるras系のがん関連遺伝子発現の中等度な亢進が認められる。また、正常状態における陰窩１３８の形状はほぼ円形であるが、図６Ａおよび図６Ｂに示すＡＣＦ前がん状態では、隣り合う２つの陰窩１３８が細長い形状となって変形しており、生体細胞が異常な状態にあると判断できる。このように、前がん状態のがん関連遺伝子発現パターンの大きさや形状を検出することで、早期段階におけるがん化の悪性度レベルを判断し、がん患者の予後を知ることができる。
【０１０７】
（実施の形態１）
以下、実施の形態１について、図面を用いて詳細に説明する。
【０１０８】
なお、以下で説明する実施の形態は、いずれも本発明の好ましい一具体例を示すものである。以下の実施の形態で示される数値、形状、材料、構成要素、構成要素の配置位置および接続形態、ステップ、ステップの順序などは、一例であり、本発明を限定するものではない。本発明は、請求の範囲によって特定される。よって、以下の実施の形態における構成要素のうち、独立請求項に記載されていない構成要素については、任意の構成要素として説明される。また、各図において、実質的に同一の構成に対しては同一の符号を付しており、重複する説明は、省略または簡略化する。
【０１０９】
［１．がん検査装置の全体構成］
本実施の形態に係るがん検査装置は、消化管、呼吸器、腎泌尿器、子宮卵巣生殖器および脳脊髄神経などにおいて発生したがん細胞を、早期に発見することのできる装置である。また、がん検査にとどまらず、生体に発生しているがん細胞に対して治療を施すことができる。さらに、生体内部にとどまらず、手術摘出直後約２０分以内の新鮮な生体外サンプルもその状態のまま、同様の方法で、がんの病理診断およびがん関連遺伝子の発現解析が可能である。例えば、従来は冷凍化し、薄切し、HE（ヘマトキシリン・エオジン）染色する必要があり、少なくとも２０分以上かかって切除断端におけるがん細胞の有無を病理検査していたが、本実施の形態に関する手法では、３分〜５分で見落としのない正確な診断（術中迅速診断）が可能である。また、摘出された生体以外のｉｐｓ細胞、ＥＳ細胞又はＭＵＳＥ細胞等のような細胞で、培養された状態であっても本発明のがん検査装置、検査方法を適用できる。
【０１１０】
また、本実施の形態のがん検査装置は、内視鏡型の検査装置である。ここでは、生体内部の消化管を検査する場合を例に挙げて説明する。
【０１１１】
［１．１．検査準備のための構成］
まず、検査準備のためのがん検査装置の構成について説明する。
【０１１２】
消化管の内壁は、実際には凹凸があるので、がん検査装置を用いて撮像する前に、消化管内を押し広げ、撮像できる状態にすることが望ましい。そのため、本実施の形態に係るがん検査装置は、消化管内を押し広げる挿入管を備えている。
【０１１３】
図７は、消化管１１２内に挿入管２０を挿入した状態を示す図であり、（ａ）は挿入管２０を挿入した直後の状態、（ｂ）は消化管１１２内に空間Ｓを形成した状態を示す。
【０１１４】
図７の（ａ）に示すように、挿入管２０には、流体を供給する供給口４２と、供給した流体を回収する回収口４３が形成されている。また、挿入管２０には、第１バルーン２１と第２バルーン２２とが設けられている。第１バルーン２１および第２バルーン２２は、バルーン２１、２２内に流体（気体または液体）が出し入れされることで、膨らんだり縮んだりする。第１バルーン２１は、供給口４２よりも挿入管２０の先端側に設けられ、第２バルーン２２は、回収口４３よりも後ろ側（先端とは反対側）に設けられている。図７の（ｂ）に示すように、消化管１１２内にて、第１バルーン２１および第２バルーン２２を膨らますことで、第１バルーン２１と第２バルーン２２とに挟まれた消化管１１２内の空間が、閉じた空間Ｓとなる。
【０１１５】
［１．２．がん検査装置の基本構成］
次に、図８〜図１１を参照しながら、がん検査装置１の基本構成について説明する。図８は、がん検査装置１の塗布部４０の一例を示す図である。
【０１１６】
本実施の形態に係るがん検査装置１は、閉じた空間Ｓの消化管１１２の内壁に染色剤４５を塗布する塗布部４０を備えている。
【０１１７】
がん検査装置１は、図８に示すように、染色剤４５が貯留された塗布部４０から、挿入管２０および供給口４２を介して染色剤４５を空間Ｓ内に供給することで、消化管１１２の内壁に染色剤４５を塗布する。消化管１１２の生体細胞のがん関連遺伝子産物は、塗布された染色剤４５により有彩色に染色される。
【０１１８】
染色剤４５としては、例えば、クルクミン類を含む染色剤またはフロキシンを含む染色剤からなる１種類の染色剤であっても良いが、クルクミン類を含む染色剤およびフロキシンを含む染色剤の２種類の染色剤を用いることが望ましい。クルクミン類を含む染色剤４５を用いることでSTAT3系のがん関連遺伝子の発現パターンの状態を、フロキシンを含む染色剤４５を用いることでras系のがん関連遺伝子産物の発現状態を把握することができる。
【０１１９】
なお、クルクミン類には、クルクミンはもちろん、水溶性の高いクルクミノイド（数種類のクルクミン誘導体の混合物）が含まれる。
【０１２０】
ras系のがん関連遺伝子発現パターンを染色する染色剤としては、上記フロキシンの他に、以下に示す材料を含む染色剤を用いることもできる。
【０１２１】
エリスロシン(Erythrosine、Ｃ２０Ｈ８Ｉ４Ｏ５)
メルブロミン(Merbromin、Ｃ２０Ｈ８Ｂｒ２ＨｇＮａ２Ｏ６)
ファストグリーンＦＣＦ(Fast Green ＦＣＦ、Ｃ３７Ｈ３４Ｎ２Ｎａ２Ｏ１０Ｓ３)
メクロサイクリンスルフォサルチル酸塩(Meclocycline  sulfosalicylate、Ｃ２９Ｈ２７ＣｌＮ２Ｏ１４Ｓ)
【０１２２】
なお、染色する前に、供給口４２および回収口４３を用いて消化管１１２の内部を洗浄したり、粘液を除去したりしてもよい。
【０１２３】
図９の（ａ）は、がん検査装置１を用いて消化管１１２の内壁を平坦化する様子を示す図である。
【０１２４】
生体内部の細胞群に染色剤４５が塗布された後、図９の（ａ）に示すように、供給口４２から、例えば、気体を供給し消化管１１２内を膨らます。これにより、消化管１１２の内壁が伸びて平坦化される。平坦化された場合の内壁面１１３の凹凸は、凹と凸の高低差が、例えば０．２ｍｍ以内であることが望ましい。消化管１１２の内壁を平坦化することで、内壁面１１３、および、内壁面１１３から所定深さの位置にある生体細胞群のがん関連遺伝子を的確に把握することができる。
【０１２５】
図９の（ｂ）は、図１１におけるがん検査装置１の内視鏡２の先端側の端部を示す概略図である。図１０は、内視鏡２の先端の回転部分の構造を示す概略図である。図１１は、がん検査装置１の制御構成を示すブロック図である。
【０１２６】
がん検査装置１は、図１１に示すように、前述した塗布部４０に加え、内視鏡２を有する撮像部１０と、撮像部１０および塗布部４０の動きを制御する制御部５０とを備えている。制御部５０は、がん化の悪性度レベルを判定する判定部５２と、がん化の悪性度レベルを判定する際の判定基準となる情報を記憶する記憶部５１とを有している。これら判定部５２および記憶部５１については後述する。
【０１２７】
また、がん検査装置１は、レーザ発振器６０、光学部品６５および画像処理部７０を備えている。
【０１２８】
レーザ発振器６０から発振されたレーザＬは、光学部品６５であるダイクロイックミラー６６により反射され、さらに、内視鏡２内のミラー１９により反射されて生体に照射される。レーザＬが照射された生体細胞のがん関連遺伝子産物は蛍光を発生し、その蛍光による光がミラー１９で反射され、ダイクロイックミラー６６を透過して光検出器３５で検出される。光検出器３５で検出された光は電気信号に変換され、画像処理部７０にて画像形成される。二次元走査器６７は、レーザ発振器６０とダイクロイックミラー６６との間に内蔵されている（図１１）。二次元走査器６７は、照射したレーザ光を、撮像対象領域の一定面積内でＸ−Ｙ方向にスキャンすることで、点としてのレーザ光を、面として画像化するためのものである。蛍光の色は染色剤によって変わるため、光検出器３５を複数備え、光検出器３５の前に色を分離する光学フィルタを置いて分離することができる。なお、光検出器３５として、ＣＭＯＳ（Complementary  Metal  Oxide  Semiconductor、相補性金属酸化膜半導体）またはＣＣＤ（Charge  Coupled  Devices、電荷結合素子）を用いて色を分離することもできる。
【０１２９】
レーザ発振器６０としては、多光子レーザ顕微鏡では、パルス幅が数十〜数百フェムト秒、パルス周波数が数十〜数百ＭＨｚのものが用いられる。本実施の形態におけるレーザＬは、多光子レーザの一種である二光子レーザであり、レーザ発振器６０は、例えば、波長が８００ｎｍで、出力が３．２Ｗまで出せるパルスレーザを用いている。このレーザの撮像時のレーザ出力は０．１６〜０．３２Ｗの範囲で出射している。波長を８００ｎｍ以上とすることで、多光子励起過程によって発生する１／２波長の光において、紫外線域（波長４００ｎｍ未満）の光子が生じることを防ぐことができる。レーザ発振器６０としては、共焦点レーザ顕微鏡では、通常の共焦点レーザ顕微鏡用の可視光波長の連続波（ＣＷ）レーザなどを用いる。
【０１３０】
光学部品６５であるダイクロイックミラー６６は、レーザＬと同一の波長については反射し、その他の波長の光を透過させる。したがって、レーザ発振器６０から発振されたレーザＬは、ダイクロイックミラー６６によってミラー１９に向かって反射される。一方、がん関連遺伝子産物において発生した蛍光は、ミラー１９を反射した後、ダイクロイックミラー６６を通過し、光検出器３５に到達する。なお、光学部品６５は、プリズムや４／λ板などで構成することもできる。
【０１３１】
撮像部１０は、内視鏡２および光検出器３５を備えており、生体の内部（生体細胞群）にレーザＬを当て、特定のがん関連遺伝子産物発現パターンを反映する生体染色剤の細胞内蛍光強度と細胞内分布様式を撮像する。撮像部９０は、焦点位置制御部を有し、この焦点位置制御部を制御することにより、染色剤によって染色されたがん関連遺伝子発現パターンを撮像する。
【０１３２】
光検出器３５は、レーザＬを当てることで発生した蛍光を検出し、その蛍光を蛍光強度に応じた電気信号に変換する。光検出器３５としては、例えば、光電子増倍管、ＣＣＤ半導体イメージセンサなどを用いることができる。
【０１３３】
内視鏡２は、図１０に示すように、内筒１２と、内筒１２の一部の外側を囲む外筒１３とを備えている。内筒１２、および、外筒１３の一部は、生体の内部に挿入される。内筒１２の長さは、例えば５０ｍｍであり、内筒１２の外径は、例えば３〜１０ｍｍである。内筒１２には直動アクチュエータが取付けられており、内筒１２は、外筒１３に対して軸方向Ｘに２５ｍｍほど移動可能となっている。また、内筒１２には超音波モータが取りけられており、内筒１２は、外筒１３に対して３６０°回転可能となっている。内筒１２の軸方向Ｘの動作、または、回転方向Ｒの動作は制御部５０により制御される。
【０１３４】
内視鏡２の内筒１２の先端側の端部には撮像ヘッド１１が設けられている。撮像ヘッド１１は、図９の（ｂ）に示すように、挿入管２０の脇を通って、内筒１２とともに生体の内部に挿入される。撮像ヘッド１１は、内筒１２の軸方向Ｘおよび回転方向Ｒの動作により、生体の内部を移動するように制御される。
【０１３５】
撮像ヘッド１１は、対物レンズ１６、焦点可変部１８、スペーサ１７およびミラー１９を有している。
【０１３６】
ミラー１９は、前述したように、レーザ発振器６０から出力されたレーザＬを対物レンズ１６に向けて方向転換し、または、がん関連遺伝子産物により蛍光された光を光検出器３５に向けて方向転換する部品である。
【０１３７】
対物レンズ１６は、生体の内壁面１１３に対向して設けられる。対物レンズ１６は、生体内に挿入しやすい３ｍｍ〜５ｍｍの直径を有するレンズを用いることができる。
【０１３８】
焦点可変部１８は、例えば圧電アクチュエータであり、対物レンズ１６を光軸の方向に移動させることで、対物レンズ１６の焦点位置を変える。焦点可変部１８は、制御部５０により動作制御され、焦点を内壁面１１３の表面から深さ０〜１０００μｍの範囲で調整できるようになっている。
【０１３９】
スペーサ１７は、例えば環状であり、対物レンズ１６と内壁面１１３との間の空間の周囲に設けられる。スペーサ１７は、対物レンズ１６が生体の内壁に触れないようにするため、また、対物レンズ１６と内壁面１１３との距離を一定に維持するための部品である。
【０１４０】
画像処理部７０は、光検出器３５により変換された電気信号（蛍光強度）と、制御部５０から送られる撮像部１０の座標位置とを対応づけて記憶し、これらのデータを処理してデジタル画像を生成する。生成されたデジタル画像は、例えば、モニタに表示されたり、プリントアウトされたり、制御部５０の記憶部５１に記録されたりする。撮像部１０の座標位置の例としては、患者の基準となる箇所（例えば喉や肛門など）からの距離と、撮像ヘッド１１の回転角度などを用いることができる。
【０１４１】
制御部５０は、ＣＰＵ、ＲＯＭ、ＲＡＭなどにより構成される。制御部５０は、内筒１２を介して撮像ヘッド１１の動作を制御する。具体的には、制御部５０は、撮像ヘッド１１を、消化管１１２の内壁の内周を沿うように回転方向Ｒに移動制御し、また、消化管１１２の管路方向（消化管の軸Ｘ）に沿うように移動制御する。また、制御部５０は、焦点可変部１８の動作を制御することで、対物レンズ１６の光軸方向の位置を変え、生体の内部に結ばれる焦点位置を制御する。また、制御部５０は、レーザ発振器６０を制御することで、レーザ出力を調整することもできる。
【０１４２】
また、制御部５０は、前述したように、がん化の悪性度レベルを判定する判定部５２と、がん化の悪性度レベルを判定する際の判定基準となる情報を記憶する記憶部５１とを有している。
【０１４３】
記憶部５１では、がん化の悪性度レベルと生体細胞群の染色状態に関する情報とが対応付けて記憶されている。がん化の悪性度レベルは、例えば図１Ｃに示すように、がん関連遺伝子の活性状態により分けられた第１段階から第４段階までの各段階である。生体細胞群の染色状態に関する情報は、例えば、上記各段階における生体細胞群の染色領域（有彩色に染色された領域）の面積または細胞数などの情報である。これら染色領域の面積または細胞数は、使用する染色剤の種類により異なる値となるので、使用する染色剤に応じたデータを予め取得しておく必要がある。
【０１４４】
判定部５２は、撮像して得られた画像の染色状態と、記憶部５１に記憶されている染色状態に関する情報とを比較することで、がん化の悪性度レベルを判定する。例えば、撮像した画像における染色領域の面積または細胞数と、記憶部５１に記憶された各段階における染色領域の面積または細胞数とを比較することで、生体細胞群の染色状態が各段階のうちのどの段階に属するかを判定する。
【０１４５】
本実施の形態に係るがん検査装置１では、生体細胞のがん関連遺伝子発現パターンを選択的に有彩色に染色する染色剤４５を、生体細胞群に塗布する塗布部４０と、染色剤４５が塗布された生体細胞群を撮像する撮像部１０と、撮像で得られた画像の生体細胞群の染色状態に基づき、生体細胞群のがん化の悪性度レベルを判定する判定部５２とを備えている。画像情報の中では染色領域の面積または細胞数以外にも、染色領域の輝度や蛍光色の違い、または幾何学パターンの違いを利用する。自動診断に際しては、確度の高い輝度で発現場所の特定を行い、蛍光色の混合状態で悪性度レベルの判断を行なうなどの方法がとられる。幾何学パターン利用の方法としては臓器ごとにパターンが異なるが、図４Ａの（ｃ）、図４Ｅの（ａ）を例に取り説明したように暗部（暗い孔状のパターン）の密度を数値化する、島状パターンの密度を数値化し、島状パターンの乱れを認識させる等の診断方法がとれる。更には、暗部間ピッチ、暗部直径、島状パターンのピッチ、島状パターンの直径等の距離測定もパターンの乱れを判断すし、診断に用いるには有効である。
【０１４６】
これによれば、生体細胞群のがん関連遺伝子発現パターンの染色状態に基づき、がん化の悪性度レベルを判定するので、生体細胞群のがん化を早い段階で把握することができる。また、がん化の悪性度レベルを把握できるので、がん患者の予後を知ることができる。
【０１４７】
また、本実施の形態に係るがん検査装置１では、染色剤４５によって染色されたがん関連遺伝子発現パターンのうち、少なくとも０．１ｍｍ以上０．４ｍｍ以下の平均直径を有する細胞集団において、がん関連遺伝子発現パターンを撮像することが可能である。これによれば、前がん状態における生体細胞のがん化の悪性度レベルを把握できるので、がん細胞集団１５２が大きく顕在化される前の超早期段階において、がん患者の予後を知ることができる。なお、がん関連遺伝子発現パターンの直径とは、がん関連遺伝子発現パターンの形状を、がん関連遺伝子発現パターンの面積と同じ面積を有する円とみなした場合の直径である。一定面積内に存在する染色された細胞群において上記直径を測定し、染色されている細胞群の数で割ったものが平均直径である。
【０１４８】
また、本実施の形態に係るがん検査装置１では、染色剤４５によって染色された、生体の内部の粘膜表面から１０μｍ以上１０００μｍ以下の深さに存在するがん関連遺伝子発現パターンを撮像することが可能である。これによれば、粘膜表面から１０μｍ以上１０００μｍ以下の深さにおける生体の内部のがん化の悪性度レベルを把握することができ、がん細胞集団１５２が粘膜表面に現れる前の超早期に、見落としなく当該細胞集団を検出し、がん患者の予後を知ることができる（図１９Ａ）。例えば、図１９Ａに示すように、消化管粘膜表面から１０μｍ〜５０μｍ内部の蛍光細胞形態画像を消化管全周性に完全パノラマ画像化できる。その結果この画像に基づいて、全周性の保証から『見落としなしのがん検出』が可能となる。図１９Ｂは、がん検査装置１Ａの内視鏡２を示す図である。
【０１４９】
がん検査装置１Ａの内視鏡２は、内筒１２と、内筒１２の一部の外側を囲む外筒１３とを備えている。内筒１２には直動アクチュエータが取付けられており、内筒１２は、外筒１３に対して軸方向Ｘに移動可能となっている。また、内筒１２には超音波モータが取りけられており、内筒１２は、外筒１３に対して３６０°回転可能となっている。内筒１２の軸方向Ｘの動作、または、回転方向Ｒの動作は制御部５０により制御される。がん検査装置１Ａでは、例えば大腸であれば肛門、胃であれば口など、所定の位置を基準として、病変までの軸方向Ｘの距離、回転方向Ｒの角度を知ることができ、病変の位置を特定することができる。
【０１５０】
［２．がん検査装置の動作の一例］
次に、本実施の形態に係るがん検査装置１の動作の一例について説明する。図１２は、がん検査装置１の動作の一例を示すフローチャートである。
【０１５１】
まず、図８の染色剤４５を塗布する前に、洗浄液を供給口４２から閉じた空間Ｓに供給する（図示省略）。これにより消化管１１２の内壁面１１３を洗う。その後、洗浄液を回収口４３から吸い込んで回収する。次に、プロナーゼ液を供給口４２から閉じた空間Ｓに供給する。これにより、消化管１１２の内壁面１１３についた余分な粘液を除去する。その後、プロナーゼ液を回収口４３から吸い込んで回収する。
【０１５２】
次に、塗布部４０にて、生体細胞群にクルクミン類を含む染色剤４５を塗布する（Ｓ１１ａ：塗布工程）。具体的には、クルクミン類を含む染色剤４５を供給口４２から閉じた空間Ｓに供給し充填する。そして、２〜５分間静置した後、洗浄液で洗う。これにより、消化管１１２の生体細胞群のSTAT3系のがん関連遺伝子産物が、クルクミン類を含む染色剤４５により染色される。
【０１５３】
次に、フロキシンを含む染色剤４５が入った塗布部４０を用いて、生体細胞群にフロキシンを含む染色剤４５を塗布する（Ｓ１１ｂ：塗布工程）。具体的には、フロキシンを含む染色剤４５を供給口４２から閉じた空間Ｓに供給し充填する。そして、２〜５分間静置した後、洗浄液で洗う。これにより、消化管１１２の生体細胞群のras系のがん関連遺伝子発現パターンがフロキシンを含む染色剤４５により染色される。これら２種類の染色剤４５を塗布することで、消化管１１２の内壁の生体細胞群が２色に染色される。
【０１５４】
次に、撮像部１０によって、染色剤で染色された生体細胞群のがん関連遺伝子発現パターンを撮像する（Ｓ１２：撮像工程）。具体的には、制御部５０にて、撮像ヘッド１１を、消化管１１２の内壁に沿うように回転方向Ｒに移動制御し、また、消化管１１２の管路方向（消化管の軸Ｘ）に沿うように移動制御しながら撮像する。
【０１５５】
次に、判定部５２によって、撮像で得られた画像の染色状態に基づき、がん化の悪性度レベルや予後を判定する（Ｓ１３：判定工程）。
【０１５６】
具体的には、染色剤４５で染色された染色領域の面積および細胞数を求める。染色領域の面積は、得られた画像の画素ごとに染色されているか否かを、所定のしきい値に基づいて判断し、染色されていると判断された画素の数を面積に置き換えることで求められる。また、染色領域の細胞数は、染色領域内における細胞の核の数または細胞膜で区切られた区域数により求められる。そして、これらにより得た面積または細胞数に関するデータと、記憶部５１にて記憶されている面積または細胞数に関するデータとを比較し、がん化の悪性度レベルや予後を判定する。
【０１５７】
例えば、フロキシンを含む染色剤４５により染色された染色領域の面積が、０．００７５ｍｍ２以上３ｍｍ２未満であれば、ras系のがん関連遺伝子産物の発現が亢進しているとみなし、がん化の悪性度レベルが第２段階（図１Ｃ参照）以上であると判定してもよい。例えば、フロキシンを含む染色剤４５により染色された染色領域の細胞数が、８個以上５１２個未満であれば、ras系のがん関連遺伝子産物の発現が亢進しているとみなし、がん化の悪性度レベルが第２段階以上であると判定してもよい。また、第２段階以上をさらに細分化し、がん化の悪性度レベルや予後を判定してもよい。
【０１５８】
なお、上記のように、ras系のがん関連遺伝子産物の発現状態によりがん化の悪性度レベルを判定してもよい。それに限られず、クルクミン類を含む染色剤４５を用いてSTAT3系のがん関連遺伝子の活性状態により、がん化の悪性度レベルを判定してもよい。また、所定の染色剤を用いてＡＰＣ／β-catenin系またはｐ５３系のがん関連遺伝子発現パターンを染色し、増殖抑制シグナルが低下していないかを調べ、がん化の悪性度レベルや予後を判定してもよい。
【０１５９】
また、本実施の形態に係る多光子レーザ顕微鏡によるがん検査装置１を用いて、がん化した部分（がん細胞集団）をレーザで除去することもできる。
【０１６０】
例えば、撮像部１０により得られた画像の中にがん化した部分が存在する場合に、多光子レーザ顕微鏡による撮像時よりもレーザＬの出力をあげて、がん化した部分にレーザＬを当て、がん化した部分だけを特異的に除去（蒸散）させる。除去時のレーザ出力は撮像時の１０〜２０倍で、２〜３Ｗである。これによれば、がん化した部分を早期にかつ確実に除去することができる。
【０１６１】
（実施の形態２）
実施の形態２に係るがん検査装置は、据置型の検査装置であり、患者を外部から検査する場合、または、患者から取り出した直後約２０分以内の組織細胞を検査する場合に用いられる。
【０１６２】
本実施の形態に係るがん検査装置２０１は、図１３に示すように、レーザ発振器２１３と、ビーム径調節器２１５と、二次元走査器２１７と、ダイクロイックミラー２１９と、対物レンズ２２１と、集光深さ調節器２２３と、光検出器２２５と、蛍光画像生成部２２７と、モニタ２２９と、制御部２３１とを備える。
【０１６３】
レーザ発振器２１３としては、パルス幅が数十〜数百フェムト秒、パルスの繰り返し周波数が数十〜数百ＭＨｚの範囲でパルスレーザ光の出力を調節できるもの、または、通常の共焦点レーザ顕微鏡用の可視光波長のＣＷレーザなどが用いられる。
【０１６４】
多光子レーザ用パルスレーザを使用する場合は、ビーム径調節器２１５は、制御部２３１からのビーム径調節信号に応じて、パルスレーザ光のビーム径を変化させるビームエクスパンダである。
【０１６５】
二次元走査器２１７は、例えば、２枚のガルバノミラーにより構成され、パルスレーザ光の集光位置を光軸に対して垂直な２軸方向に変化させる。
【０１６６】
ダイクロイックミラー２１９は、パルスレーザ光の照射により生体細胞のがん関連遺伝子産物において発生する蛍光を分離する。
【０１６７】
対物レンズ２２１は、レーザ発振器２１３から出射されたパルスレーザ光を生体細胞に集光させる一方、多光子吸収現象によりがん関連遺伝子産物において発生した蛍光を集光する。なお、対物レンズ２２１は、制御信号に基づいて集光深さ調節器２２３によって光軸方向へ移動可能となっており、集光位置を調節することができる。
【０１６８】
光検出器２２５は、がん関連遺伝子産物において発生した蛍光を検出し、蛍光強度に応じた電気信号に変換する。
【０１６９】
二次元走査器２１７の走査状態および集光深さ調節器２２３の調節位置(深さ方向の位置)は、集光位置の座標を表すパラメータとなり、蛍光画像生成部２２７は、これら座標を表すパラメータと光検出器２２５から送られた電気信号（すなわち蛍光強度）とを対応付けて記憶し、これらのデータを処理して、蛍光画像を生成する。生成された蛍光画像は、モニタ２２９上に表示される。
【０１７０】
制御部２３１は、動作制御部２３３と、検査用パルス強度設定部２３５と、照射範囲設定部２３９と、照射時間設定部２４１とを含む。動作制御部２３３は、レーザ発振器２１３、ビーム径調節器２１５、二次元走査器２１７、集光深さ調節器２２３の動作を制御する。
【０１７１】
検査用パルス強度設定部２３５は、検査を行うために、がん関連遺伝子発現パターンの蛍光画像を取得するのに適した強度のパルスレーザ光強度を設定する。
【０１７２】
照射範囲設定部２３９は、生体細胞にパルスレーザ光を照射する範囲の設定を行う。そして、動作制御部２３３が、二次元走査器２１７や集光深さ調節器２２３の動作を制御することによって、設定された照射範囲および深さにパルスレーザ光を照射、集光させる。照射時間設定部２４１は、生体細胞にパルスレーザ光を照射する時間の設定を行う。そして、動作制御部２３３がレーザ発振器２１３の出力を制御することによって、設定された時間だけ、パルスレーザ光を照射させる。
【０１７３】
本実施の形態の制御部２３１は、実施の形態１と同様の記憶部５１および判定部５２を有している。すなわち、がん検査装置２０１は、撮像で得られた画像の生体細胞群の染色状態に基づき、生体細胞群のがん化の悪性度レベルや予後を判定する。
【０１７４】
このがん検査装置２０１では、生体細胞群のがん関連遺伝子発現パターンの染色状態に基づき、がん化の悪性度レベルを判定するので、生体細胞群のがん化を早い段階で把握することができる。また、がん化の悪性度レベルをがん関連遺伝子の発現状態で把握できるので、がん患者の予後を知ることができる。
【０１７５】
なお、このがん検査装置２０１は、治療用パルス強度設定部２３７を備え、治療を行うために生体細胞を破壊するに十分な強度のパルスレーザ光強度を設定することができる。これにより、発見したがん細胞集団に対して、早期にがん治療を行うことができる。
【０１７６】
その他、本実施の形態のがん検査装置２０１は、様々な形態で実現することができる。
【０１７７】
例えば、図１４に示されているように、レーザ光照射ヘッド２４３内に、ビーム径調節器２１５、二次元走査器２１７、ダイクロイックミラー２１９と対物レンズ２２１とその間の光路から構成される光学系、集光深さ調節器２２３とを設けるとともに、患者を載せるための患者固定台２４５と移動装置２４７とをさらに設け、がん検査を行ってもよい。
【０１７８】
また、例えば、患者から生体細胞群の一部を削り取り、削り取った生体細胞群をトレー（試料台）に入れた状態で、がん検査装置２０１を用いて撮像を行い、がん化の悪性度レベルを判定してもよい。この場合、生体細胞群への染色剤４５の塗布は、生体細胞群を削り取る前に行ってもよいし、生体細胞群を削り取った後、撮像する前に行ってもよい。
【０１７９】
（実施の形態３）
［１．がん検査装置の基本構成］
次に、図１５〜図１８を参照しながら、通常の共焦点レーザ顕微鏡用の可視光波長のＣＷレーザを用いる場合である、実施の形態３に係るがん検査装置３０１の基本構成について説明する。
【０１８０】
図１５は、図１７におけるがん検査装置３０１の内視鏡２の先端側の端部を示す概略図である。図１６は、内視鏡２の全体を示す概略図である。図１７は、がん検査装置３０１の制御構成を示すブロック図である。
【０１８１】
図１７に示すように、がん検査装置３０１は、内視鏡２を有する撮像部１０、制御部５０および画像処理部７０を備えている。また、がん検査装置３０１は、レーザ発振器６０Ｃ、光学部品６５Ｃを有している。また、がん検査装置３０１は、染色剤を、生体の内部に供給する塗布部４０を備えている（図８参照）。
【０１８２】
レーザ発振器６０Ｃから発振されたレーザＬ１は、光学部品６５Ｃであるダイクロイックミラー６６Ｃにより反射され、さらに、内視鏡２内のミラー１９Ｃにより反射されて生体に照射される。レーザＬ１が照射された生体細胞は蛍光を発生し、その蛍光による光がミラー１９Ｃで反射され、ダイクロイックミラー６６Ｃを透過して光検出器３５Ｃで検出される。光検出器３５Ｃで検出された光は電気信号に変換され、画像処理部７０にて画像形成される。蛍光の色は染色剤によって変わるため、光検出器３５Ｃを複数備え、光検出器３５Ｃの前に色を分離する光学フィルタを置いて分離することができる。これらの動作や各部品の機能、役割は図１１のものとほぼ同一であるが、共焦点レーザ装置が多光子レーザ装置とは原理的に異なるため、それぞれの構成番号にＣＷレーザの頭文字を示す「Ｃ」を付けて区別している。
【０１８３】
レーザ発振器６０Ｃとしては、波長４０５〜９８０ｎｍの範囲で段階的可変できるレーザを複数種類備え、測定対象の蛍光反応の特性に応じて波長が選ばれる。パルス駆動であっても連続発振駆動であってもよい。パルス駆動の場合は数十キロＨｚ以上、デューティが５％〜５０％で撮像の掃引周波数との関係で、鮮明な画像が得られる範囲が選択される。本実施の形態におけるレーザＬ１は、共焦点レーザであり、レーザ発振器６０Ｃは、例えば、ピーク波長がそれぞれ４８８ｎｍ、５９４ｎｍまたは６４７ｎｍで、出力が３０ｍＷまで出せるレーザを用いている。このレーザの撮像時のレーザ出力は５〜１０ｍＷの範囲で出射しているがこれに限定されない。なお、レーザ発振器６０Ｃでは、レーザＬ１の強度を染色度合い、蛍光の度合いに応じて調整することも可能である。
【０１８４】
光学部品６５であるダイクロイックミラー６６Ｃは、レーザＬ１と同一の波長については反射し、その他の波長の光を透過させる。したがって、レーザ発振器６０Ｃから発振されたレーザＬ１は、ダイクロイックミラー６６Ｃによってミラー１９Ｃに向かって反射される。一方、生体細胞において発生した蛍光は、ミラー１９Ｃを反射した後、ダイクロイックミラー６６Ｃを通過し、光検出器３５Ｃに到達する。なお、光学部品６５Ｃは、プリズムや４／λ板などで構成することもできる。
【０１８５】
撮像部１０は、内視鏡２および光検出器３５Ｃを備えており、生体の内部にレーザＬ１を当てることで生体の内部の細胞形態を撮像する。
【０１８６】
光検出器３５Ｃは、レーザＬ１を当てることで発生した蛍光を検出し、その蛍光を蛍光強度に応じた電気信号に変換する。光検出器３５Ｃとしては、例えば、光電子増倍管、ＣＣＤ半導体イメージセンサなどを用いることができる。共焦点レーザ機能としてピンホールなどを備えている。
【０１８７】
内視鏡２は、図１６に示すように、内筒１２と、内筒１２の一部の外側を囲む外筒１３とを備えている。内筒１２、および、外筒１３の一部は、生体の内部に挿入される。内筒１２の長さは、例えば５０ｍｍであり、内筒１２の外径は、例えば３〜１０ｍｍである。内筒１２には直動アクチュエータが取付けられており、内筒１２は、外筒１３に対して軸方向Ｘに２５ｍｍほど移動可能となっている。また、内筒１２には超音波モータが取りけられており、内筒１２は、外筒１３に対して３６０°回転可能となっている。内筒１２の軸方向Ｘの動作、または、回転方向Ｒの動作は制御部５０により制御される。
【０１８８】
内視鏡２の内筒１２の先端側の端部には撮像ヘッド１１Ｃが設けられている。撮像ヘッド１１Ｃは、図１５に示すように、挿入管２０の脇を通って、内筒１２とともに生体の内部に挿入される。撮像ヘッド１１Ｃは、内筒１２の軸方向Ｘおよび回転方向Ｒの動作により、生体の内部を移動するように制御される。
【０１８９】
撮像ヘッド１１Ｃは、対物レンズ１６Ｃ、焦点可変部１８、スペーサ１７およびミラー１９Ｃを有している。
【０１９０】
ミラー１９Ｃは、前述したように、レーザ発振器６０Ｃから出力されたレーザＬ１を対物レンズ１６Ｃに向けて方向転換し、または、生体細胞により蛍光された光を光検出器３５Ｃに向けて方向転換する部品である。
【０１９１】
対物レンズ１６Ｃは、生体の内壁面１１３に対向して設けられる。対物レンズ１６は、例えば、直径が１０ｍｍ、倍率が１０倍、解像度が５μｍ、撮像視野が３ｍｍ×３ｍｍである。または、対物レンズ１６は、直径が１２ｍｍ、倍率が４０倍、解像度が１０μｍ、視野が７．５ｍｍ×７．５ｍｍｍである。撮像視野は広いほどよい。また、対物レンズ１６Ｃは左記した直径のレンズの一部をカットするか、同様の解像度を得られる対物レンズとして生体内に挿入しやすい３ｍｍ〜５ｍｍの直径としたものを用いることができる。なお、対物レンズ１６Ｃを内壁面１１３に対して傾けて配置してもよい。対物レンズ１６Ｃを傾けた状態で撮像することで、上皮１２０および腺１３０の両方の細胞形態を同時に観察することが可能となる。
【０１９２】
焦点可変部１８は、例えば圧電アクチュエータ、または電磁アクチュエータであり、対物レンズ１６Ｃを光軸の方向に移動させることで、対物レンズ１６Ｃの焦点位置を変える。焦点可変部１８は、制御部５０により動作制御され、焦点を内壁面（粘膜表面）１１３から深さ０〜７５μｍの範囲で調整できるようになっている。焦点位置を変えることで、消化管１１２の内壁面１１３から所定の深さにおける生体の状態を撮像することができる。
【０１９３】
スペーサ１７は、例えば環状であり、対物レンズ１６Ｃと内壁面１１３との間の空間の周囲に設けられる。スペーサ１７は、対物レンズ１６Ｃが生体の内壁に触れないようにするため、また、対物レンズ１６Ｃと内壁面１１３との距離を一定に維持するための部品である。対物レンズ１６Ｃと内壁面（粘膜表面）１１３との距離は、撮像開始前にスペーサ１７を取り替えるか、アクチュエータなどで可変とする機構を付加することにより、例えば、１ｍｍ以上１０ｍｍ以下の範囲の適切な値に設定される。制御部５０は、スペーサ１７を内壁面１１３に当接させながら撮像ヘッド１１Ｃ（内筒１２）を移動制御し、内壁面１１３に対する対物レンズ１６Ｃの距離を一定に維持する。
【０１９４】
制御部５０は、ＣＰＵ、ＲＯＭ、ＲＡＭなどにより構成される。制御部５０は、内筒１２を介して撮像ヘッド１１Ｃの動作を制御する。具体的には、制御部５０は、撮像ヘッド１１Ｃを、消化管１１２の内壁の内周を沿うように周方向に移動制御し、また、消化管１１２の管路方向（消化管の軸）に沿うように移動制御する。また、制御部５０は、焦点可変部１８の動作を制御することで、対物レンズ１６Ｃの光軸方向の位置を変え、生体の内部に結ばれる焦点位置を制御する。また、制御部５０は、レーザ発振器６０Ｃを制御することで、レーザ出力を調整することもできる。
【０１９５】
画像処理部７０は、光検出器３５Ｃにより変換された電気信号（蛍光強度）と、制御部５０から送られる撮像部１０の座標位置とを対応づけて記憶し、これらのデータを処理してデジタル画像を生成する。生成されたデジタル画像は、例えば、モニタに表示されたり、プリントアウトされたり、記憶装置に記録されたりする。撮像部１０の座標位置の例としては、患者の基準となる箇所（例えば喉や肛門など）からの距離と、撮像ヘッド１１Ｃの回転角度などを用いることができる。
【０１９６】
本実施の形態に係る共焦点型のレーザ内視鏡を有するがん検査装置３０１は、生体の内部に挿入される撮像ヘッド１１Ｃを有し、撮像ヘッド１１Ｃを介して生体にレーザを当てることで生体を撮像する撮像部１０と、撮像ヘッド１１Ｃの作動を制御する制御部５０とを備えている。撮像ヘッド１１Ｃは、対物レンズ１６Ｃと、対物レンズ１６Ｃの焦点位置を生体の深さ方向に変えることのできる焦点可変部１８とを有し、制御部５０は、焦点位置が、生体の内部の粘膜表面から１０μｍ以上１００μｍ以下（望ましくは１０μｍ以上７０μｍ以下）の深さのうち、所定深さとなるように焦点可変部１８を作動し、撮像部１０は、生体の内部の細胞群を選択的に有彩色に染色する染色剤４５によって染色された細胞群にレーザを当てるとともに、所定深さにおける染色された細胞群を撮像する。
【０１９７】
ここで対物レンズ１６Ｃと粘膜表面の位置を一定に保ち焦点を制御する方法について説明する。図１７に示す１７１は第２のレーザ発振器であり、例えば波長６８０ｎｍ、出力５ｍＷ程度の参照光Ｌ２として連続平行光を発振している。ビームスプリッターまたハーフミラー等で、レーザ発振器６０Ｃと同じ光路に挿入される。図１７では理解しやすくするために少し位置をずらした破線でその参照光Ｌ２の光路を示している。前記参照光Ｌ２は検査用のレーザＬ１とほぼ同じ経路をたどるが、ビームスプリッター１７３で光路を変え、焦点制御光学部１７４に入る。ここでは円柱レンズとビームスプリッター等で、対物レンズ１６Ｃの焦点位置が変動した場合、その変動量が検出できるような光学部品構成になっている。１７５は光検出器であり通常２個または４個のブロックに分かれた光検出器で検出された光は、差動アンプなどで対物レンズ１６Ｃと粘膜表面相対位置変動に比例した電気信号に変換される。このような対物レンズの位置制御は光ディスク装置等で用いられており、内視鏡装置への応用は十分に可能である。ここで、がん検査装置として注意すべきことは、撮像用のレーザＬ１と参照光Ｌ２が、分離しやすいようになるべく波長を違えておくことが好ましい。波長を１００ｎｍ以上離すことで分離特性の良い、撮像系、焦点制御系の光特性を得ることができる。また上記のような焦点制御系を有する場合は、その制御系内にバイアス電圧を加えることで、焦点位置を微調整することができる。このバイアス電圧を段階的に変えることにより自動的にレーザＬ１の焦点位置を深さ方向に制御する事ができる。
【０１９８】
また光学部品である１１Ｃ、３５Ｃ、６５Ｃ、６６Ｃ、１７２、１７３、１７４は、Ｌ１、Ｌ２のレーザ波長によって透過率や反射率が大きく左右されるため、レーザ波長に合わせたモジュール化を行い複数種類準備することで、使用する染色剤や被検査部位によってレーザ波長を変えた場合でも、容易に対応する事ができる。
【０１９９】
このように共焦点型のレーザ内視鏡を有するがん検査装置３０１であっても、生体の内壁面（粘膜表面）１１３から１０μｍ以上７０μｍ以下の深さにおける画像を取得することが可能である。これにより、容易に、病変を見つけることが可能であり、また、波長やレーザ強度を選ぶことで患者に対してレーザ照射による光細胞ダメージなどの負荷を与えずに画像を取得することができる。
【０２００】
［２．がん検査装置の動作］
次に、本実施の形態に係るがん検査装置３０１の動作について説明する。図１８は、がん検査装置３０１の動作の一例を示すフローチャートである。本実施の形態に係るがん検査装置３０１では、２つの異なる染色剤４５を生体細胞群に塗布して、２つのがん関連遺伝子発現パターンを互いに異なる色に染色した後、撮像する。
【０２０１】
まず、染色剤４５を塗布する前に、洗浄液を供給口４２から閉じた空間Ｓに供給する（図示省略）。これにより消化管１１２の内壁面１１３を洗う。その後、洗浄液を回収口４３から吸い込んで回収する。次に、プロナーゼ液を供給口４２から閉じた空間Ｓに供給する。これにより、消化管１１２の内壁面１１３についた余分な粘液を除去する。その後、プロナーゼ液を回収口４３から吸い込んで回収する。
【０２０２】
次に、塗布部４０にて、生体細胞群にクルクミン類を含む染色剤４５を塗布する（Ｓ１１ａ：塗布工程）。具体的には、クルクミン類を含む染色剤４５を供給口４２から閉じた空間Ｓに供給し充填する。そして、２〜５分間静置した後、洗浄液で洗う。これにより、消化管１１２の生体細胞群のSTAT3系のがん関連遺伝子産物が、クルクミン類を含む染色剤４５により染色される。
【０２０３】
次に、フロキシンを含む染色剤４５が入った塗布部４０を用いて、生体細胞群にフロキシンを含む染色剤４５を塗布する（Ｓ１１ｂ：塗布工程）。具体的には、フロキシンを含む染色剤４５を供給口４２から閉じた空間Ｓに供給し充填する。そして、２〜５分間静置した後、洗浄液で洗う。これにより、消化管１１２の生体細胞群のras系のがん関連遺伝子発現パターンがフロキシンを含む染色剤４５により染色される。
【０２０４】
次に、撮像部１０を用いて、上記２種類の染色剤４５で染色された生体細胞群のがん関連遺伝子発現パターンを撮像する（Ｓ１２：撮像工程）。具体的には、撮像部１０は、２種類の異なる波長の励起光を、２種類の異なる色に染色されたがん関連遺伝子発現パターンに照射することで、複数のがん関連遺伝子発現パターンを撮像する。本実施の形態では、クルクミン類を含む染色剤４５で染色されたがん関連遺伝子発現パターンを蛍光させるための励起光として波長４８８ｎｍのレーザＬ１を照射し、フロキシンを含む染色剤４５で染色されたがん関連遺伝子発現パターンを蛍光させるための励起光として波長５９４ｎｍのレーザＬ１を照射する。そして、２色に染色されたがん関連遺伝子発現パターンに２種類のレーザＬ１を順に照射し、照射によって発生したそれぞれの蛍光を光検出器３５Ｃで検出する。
【０２０５】
次に、判定部５２によって、撮像で得られた画像の染色状態に基づき、がん化の悪性度レベルや予後を判定する（Ｓ１３：判定工程）。
【０２０６】
このように２種類の染色剤４５で染色されたがん関連遺伝子発現パターンに、それぞれの染色剤４５に応じた励起光を照射することで、複数のがん関連遺伝子の活性状態を検出し、がん化の悪性度レベルを判定することができる。また、上記のように単一波長からなる各レーザＬ１をがん関連遺伝子発現パターンに照射することで、がん関連遺伝子発現パターンから発せられる蛍光を安定して検出することができる。
【０２０７】
上記では、２種類の染色剤４５およびそれに対応する励起光を用いて２種類のがん関連遺伝子発現パターンを検出する例について示したが、それに限られず、３種類以上の染色剤４５およびそれに対応する励起光を用いて３種類以上のがん関連遺伝子発現パターンを検出してもよい。染色剤４５としては、クルクミン類、フロキシンに限られず、例えば、ハイレッドＶ８０、スルフレチン、エリスロシン、エピガロカテキンガラード、インドシアニングリーン、マルビジン、βカロテン、ハイレッドＢＬ、６−ギンゲオール、ミリセチン、トリセニジンまたはペツニジンなどを含む染色剤４５であってもよい。
【０２０８】
例えば、ブレーキ系の遺伝子であるＡＰＣ／β-catenin系またはｐ５３系のがん関連遺伝子発現パターンを染色する染色剤４５を用いると、細胞の増殖抑制シグナルが低下しているか否かを調べることができる。このようにブレーキ系の遺伝子を検出し、がん化の悪性度レベルや予後を判定することもできる。
【０２０９】
このように多種類の染色剤４５でがん関連遺伝子発現パターンを染色し、それぞれの染色剤４５に応じた励起光を照射することで、多種類のがん関連遺伝子を検出することが可能となる。これにより、がん化の悪性度レベルを多岐の視点で分析することができ、予後の判定確率を高めることができる。
【０２１０】
次に、生体染色剤の浸透性の際によるがんと正常部位の判定について説明する。
【０２１１】
図２０Ａ、図２０Ｂおよび図２０Ｃを参照して、生体の内部の細胞形態を、多光子レーザ顕微鏡（オリンパス社製ＦＶ１０００ＭＰＥ）を用いて焦点の深さを変えて撮像し、撮像した複数の画像を所定の位置で切断して断面画像（断層画像）を作成した例について説明する。生体としてはマウスを用いた。
【０２１２】
図２０Ａ〜図２０Ｃの各図は、内壁面（粘膜表面）から所定範囲の深さにおける細胞形態を示す画像であって、粘膜表面（深さ０）から深さ１５０μｍまでを深さ２μｍピッチで撮像し、合計７５枚の画像を積み重ねて合成した３次元データ画像である。図２０Ａ〜図２０Ｃのそれぞれにおいて、（ａ）は、細胞群を内壁面１１３に垂直な方向から平面視した画像であり、（ｂ）は（ａ）をｂ−ｂ線で切断した場合の断面画像であり、（ｃ）は（ａ）をｃ−ｃ線で切断した場合の断面画像である。
【０２１３】
細胞群を染色するための染色剤としては、クルクミンを含む染色剤およびアシッドレッド（赤色１０６号）を含む染色剤の両方の染色剤を用いた。染色時間は、５分間とした。染色時間は、細胞群に染色剤を接触させて、細胞自体または各細胞の間に染色剤の色素を浸透させる時間である。
【０２１４】
図２０Ａ〜図２０Ｃは、同じ細胞群を同時に撮像し、フィルタをかけて異なる色（波長）を抽出した画像である。図２０Ａは、クルクミン色素およびアシッドレッド色素の両方の色素によって染色された色領域を抽出した画像である。図２０Ｂは、クルクミン色素によって染色された色領域を抽出した画像である。図２０Ｃは、アシッドレッド色素で染色された色領域を抽出した画像である。図２０Ａ〜図２０Ｃは白黒であるが本来カラー画像であり、染色剤による染色傾向の違いにより、クルクミン色素で染色した領域は緑の蛍光色に、アシッドレッド色素で染色された領域は、薄い赤色からオレンジ色に近い蛍光色で表わされ、より鮮明に色の違いが表わされている。
【０２１５】
図２０Ａ〜図２０Ｃでは、がん組織および正常粘膜組織が示されているが、それぞれの色素によって浸透性に差があることがわかる。図２０Ｂに示すように、クルクミン色素は、がん組織において正常粘膜組織よりも高い浸透性を示している。具体的にはクルクミン色素の場合、染色されている深さが、がん組織内部では約４０μｍであるのに対し、正常粘膜組織内部では約２０μｍである。図２０Ｃに示すように、アシッドレッド色素は、がん組織において正常粘膜組織よりも低い浸透性を示している。具体的にはアシッドレッド色素の場合、染色されている深さが、がん組織内部では約４０μｍであるのに対し、正常粘膜組織内部では約７０μｍである。
【０２１６】
このように、細胞形態が、がん組織か正常粘膜組織かによって色素の浸透性に違いがある。この性質を利用し、断面画像に表わされた細胞群が染色されている深さを計測することで、その細胞群が正常細胞群か、がん細胞群かを判別することができると考えられる。撮影時における細胞表面からの深度方向の制御を行うことで、断面画像に表わされた細胞群が染色されている深さに基づいて、病変の疑いを判断する。例えば、クルクミン色素によって細胞群が染色されている深さが、正常粘膜組織よりも大きいと（例えば１．５倍以上）がん細胞が発生していると判断し、同等であると（例えば１．５倍未満）がん細胞が発生していないと判断する。また、アシッドレッド色素によって細胞群が染色されている深さが、正常粘膜組織よりも小さいと（例えば０．６倍未満）がん細胞が発生していると判断し、同等であると（例えば０．６倍以上）がん細胞が発生していないと判断する。なお、単色または２重染色等によってがん細胞の有無を判断後に、上記の断面画像判断をすることで、より信頼性を高めることができる。本例ではSTAT3系のがん関連遺伝子産物に対してより浸透度が高く染色するクルクミンと、正常細胞への浸透度が高いアシッドレッドを用いたが、更にras系のがん遺伝子産物への浸透度が高いフロキシン、エリスロシン等を用いて染色することで、STAT3系、ras系の進行度合いを、染色の浸透度合いで比較することができるようになる。
【０２１７】
（その他の例）
以上、本実施の形態に係るがん検査装置１、２０１、３０１について説明したが、本発明は、上記実施の形態およびその変形例には限定されない。例えば、上記実施の形態およびその変形例に次のような変形を施した態様も、本発明に含まれ得る。
【０２１８】
例えば、実施の形態１では、がん関連遺伝子発現パターンの染色を行う場合に、染色剤を１種類ずつ用いて順に染色したが、それに限られず、複数の色素を予め混合して両方を含む混合染色剤を作り、この混合染色剤を用いて同時に染色してもよい。さらに経口の洗浄液に粘膜洗浄剤や染色剤などを含ませることで消化管を染色することも可能である。がん関連遺伝子発現パターンを染色するという表現と、がん関連遺伝子産物を染色するという表現を混在して記載したが、がん関連遺伝子産物を染色した結果であって、ある程度増殖をした状態を観察対象としている状態をがん関連遺伝子発現パターンとしている。
【０２１９】
また、実施の形態１では、２色の染色剤を用いて生体を染色して撮像したが、それに限られず、３色以上の染色剤を用いて生体を染色して撮像することも可能である。
【０２２０】
また、実施の形態１、２では、がん検査装置１のレーザとして多光子レーザを用いたが、これに限られず、共焦点レーザを用いることも可能である。また、波長を選べば通常のＣＷレーザ顕微鏡を用いたり、単色光による蛍光顕微鏡を用いることも可能である。深さ方向の撮像および解像度という点では、波長６００ｎｍ〜１６００ｎｍの多光子レーザを用いることが望ましい。しかし、染色によって細胞の核が見える倍率、解像度をレンズや波長によって工夫することで、ある程度の分析を、波長４００〜７００ｎｍの共焦点レーザ顕微鏡や通常の波長４００〜７００ｎｍＣＷレーザを用いたり、波長４００〜７００ｎｍ単色光による蛍光顕微鏡によって実現することは、本発明の範囲に含まれる。さらに染色剤の蛍光波長に応じて、照射するレーザの波長を変える、画像化するためのフィルターを変えることは上記で説明してきたとおりある。
【０２２１】
また、実施の形態１、２におけるがん検査装置１、２０１、３０１は、消化管以外の管腔臓器（気管支、膀胱・尿管など）にも適応可能であり、さらに、表面から深さ１ｍｍ以内という制約はあるが、腎臓、肝臓、脳、網膜などの細胞構造も可視化できる。
【０２２２】
さらに画像は静止画に限定されず、動画であっても、静止画と動画が混在した画像であっても良い。例えば予備的診断や手術後定期検査時等には動画で撮影し、精密診断時には静止画を用いることも可能である。撮影時の拡大倍率スケールも上記で説明した範囲に限定されるものでは無い。
【０２２３】
また、生体染色する細胞組織は、生体内の細胞組織（in  vivo）でも良く、また、手術などで生体外へ切除した直後２０分以内の新鮮生体外細胞組織（ex  vivo）であっても良い。
【０２２４】
さらに、上記したがん検査装置では、染色部、内視鏡を含む撮像部、記憶部、判定部を含めて説明したが、必ずしも染色部、判定部は同一の装置内に備える必要は無く、別の装置で染色を行うこと、記憶部の内容を共有することによって別の装置やコンピュータで、分析、判定を行うことは、本発明の範囲である。また、分析対象の部位によって撮像部も内視鏡に限定されず、固定の対物レンズを有する顕微鏡であっても良いものであることは、両者を併記していることからも本発明の範囲に含まれる。
【産業上の利用可能性】
【０２２５】
本発明に係るがん検査装置は、消化管、呼吸器、腎泌尿器、子宮卵巣生殖器および脳脊髄神経などにおいて、早期にがんを発見する場合に利用される。
【符号の説明】
【０２２６】
１、１Ａ、２０１、３０１  がん検査装置
２      内視鏡
１０    撮像部
１１、１１Ｃ  撮像ヘッド
１２    内筒
１３    外筒
１６、１６Ｃ  対物レンズ
１７    スペーサ
１８    焦点可変部
１９、１９Ｃ  ミラー
２０    挿入管
２１    第１バルーン
２２    第２バルーン
３５、３５Ｃ  光検出器
４０    塗布部
４２    供給口
４３    回収口
４５    染色剤
５０、２３１  制御部
５１    記憶部
５２    判定部
６０、６０Ｃ  レーザ発振器
６５、６５Ｃ  光学部品
６６、６６Ｃ  ダイクロイックミラー
６７    二次元走査器
７０    画像処理部
１１２  消化管
１１３  消化管の内壁面（粘膜表面）
１２０  上皮
１２１  上皮細胞
１２５  上皮細胞の核
１２６  上皮細胞の細胞質
１３０  腺
１３１  腺細胞
１３２  毛細血管
１３３  結合組織
１３５  腺細胞の核
１３６  腺細胞の細胞質
１３７  基底膜
１３８  陰窩（いんか）
１５２  がん細胞集団
１６０  粘膜筋板
Ｌ、Ｌ１  レーザ
Ｌ２    参照光
Ｓ      閉じた空間
【図１Ａ】
2017200066.tif 000003
【図１Ｂ】
2017200066.tif 000004
【図１Ｃ】
2017200066.tif 000005
【図１Ｄ】
2017200066.tif 000006
【図２Ａ】
2017200066.tif 000007
【図２Ｂ】
2017200066.tif 000008
【図２Ｃ】
2017200066.tif 000009
【図３】
2017200066.tif 000010
【図４Ａ】
2017200066.tif 000011
【図４Ｂ】
2017200066.tif 000012
【図４Ｃ】
2017200066.tif 000013
【図４Ｄ】
2017200066.tif 000014
【図４Ｅ】
2017200066.tif 000015
【図５Ａ】
2017200066.tif 000016
【図５Ｂ】
2017200066.tif 000017
【図５Ｃ】
2017200066.tif 000018
【図６Ａ】
2017200066.tif 000019
【図６Ｂ】
2017200066.tif 000020
【図７】
2017200066.tif 000021
【図８】
2017200066.tif 000022
【図９】
2017200066.tif 000023
【図１０】
2017200066.tif 000024
【図１１】
2017200066.tif 000025
【図１２】
2017200066.tif 000026
【図１３】
2017200066.tif 000027
【図１４】
2017200066.tif 000028
【図１５】
2017200066.tif 000029
【図１６】
2017200066.tif 000030
【図１７】
2017200066.tif 000031
【図１８】
2017200066.tif 000032
【図１９Ａ】
2017200066.tif 000033
【図１９Ｂ】
2017200066.tif 000034
【図２０Ａ】
2017200066.tif 000035
【図２０Ｂ】
2017200066.tif 000036
【図２０Ｃ】
2017200066.tif 000037
【国際調査報告】
2017200066.tif 000038
2017200066.tif 000039
2017200066.tif 000040
2017200066.tif 000041